(57)【要約】【課題】プレイヤの興味を惹き付けて止まない釣りゲームや育成ゲームなどの新規な娯楽システムおよび娯楽方法を提供する。【解決手段】撮像手段で撮像することにより得られた生物の画像データを入力する画像入力手段と、前記撮像手段で撮像された生物を仮想的に生息させるための仮想空間を表示する表示手段と、前記画像入力手段により入力された画像データに基づいて前記生物を表現する生物オブジェクトのデータを生成する生物オブジェクト生成手段と、前記生物オブジェクト生成手段により生成されたデータに基づいて前記生物オブジェクトを含む前記仮想空間を前記表示手段に表示させる画像制御手段とを備えた。【選択図】　　　図１
2004024840.tif 000002
【特許請求の範囲】
【請求項１】
撮像手段で撮像することにより得られた生物の画像データを入力する画像入力手段と、
前記撮像手段で撮像された生物を仮想的に生息させるための仮想空間を表示する表示手段と、
前記画像入力手段により入力された画像データに基づいて前記生物を表現する生物オブジェクトのデータを生成する生物オブジェクト生成手段と、
前記生物オブジェクト生成手段により生成されたデータに基づいて前記生物オブジェクトを含む前記仮想空間を前記表示手段に表示させる画像制御手段とを備えたことを特徴とする娯楽システム。
【請求項２】
前記生物オブジェクト生成手段は、
前記画像入力手段により入力された画像データを記憶する画像記憶手段と、
前記画像記憶手段に記憶した画像データに基づいて前記生物を認識する画像認識手段と、
前記画像認識手段による認識結果に基づいて前記生物を表現する生物オブジェクトのデータを生成するオブジェクトデータ生成手段とを備えていることを特徴とする請求項１に記載の娯楽システム。
【請求項３】
前記生物オブジェクトに付随し所定の条件が成立したときに呼び出される属性情報のデータを生成する属性情報生成手段を更に備え、
前記画像制御手段は、前記生物オブジェクト生成手段により生成されたデータに基づいて、前記生物オブジェクトを含む前記仮想空間を前記表示手段に表示させるとともに、前記属性情報生成手段により生成されたデータに基づいて、当該生物オブジェクトに付随する属性情報を所定の条件が成立したときに前記表示手段に表示させることを特徴とする請求項１または２に記載の娯楽システム。
【請求項４】
前記仮想空間内に表示されている任意のオブジェクトを指示するための指示用入力手段を更に備え、当該指示用入力手段により前記生物オブジェクトが指示されたとき、当該生物オブジェクトに付随する前記属性情報を前記表示手段に表示させるように構成したことを特徴とする請求項１〜３のいずれかに記載の娯楽システム。
【請求項５】
前記仮想空間内の生物オブジェクトを画面上で捕獲するための捕獲操作用入力手段を更に備え、当該捕獲操作用入力手段を使用した捕獲操作により生物オブジェクトが捕獲された状態あるいは捕獲に至る過程で発生する特定の状態になったとき、当該生物オブジェクトに付随する前記属性情報を前記表示手段に表示させるように構成したことを特徴とする請求項１〜４のいずれかに記載の娯楽システム。
【請求項６】
前記属性情報を入力するための属性情報入力手段を更に備え、
前記属性情報生成手段は、当該属性情報入力手段により入力された情報と前記画像認識手段による認識結果とに基づいて前記属性情報のデータを生成することを特徴とする請求項３〜５のいずれかに記載の娯楽システム。
【請求項７】
前記生物を撮像した日時と地点またはそのどちらか一方を特定する撮像関連情報を入力するための撮像関連情報入力手段を更に備え、
前記画像認識手段は、前記画像記憶手段に記憶した画像データと前記撮像関連情報入力手段により入力された撮像関連情報とに基づいて前記生物を認識することを特徴とする請求項２〜６のいずれかに記載の娯楽システム。
【請求項８】
前記属性情報生成手段は、前記撮像関連情報入力手段により入力された撮像関連情報に基づいて前記属性情報のデータを生成することを特徴とする請求項７に記載の娯楽システム。
【請求項９】
任意のＷｅｂサイトにアクセス可能な通信手段を更に備えるとともに、前記生物オブジェクトを特定のＷｅｂページにリンクさせておき、
前記指示用入力手段により前記生物オブジェクトが指示されたとき、当該生物オブジェクトにリンクしたＷｅｂページの存在するＷｅｂサイトにアクセスし、当該Ｗｅｂページを前記表示手段に表示させるように構成したことを特徴とする請求項４〜８のいずれかに記載の娯楽システム。
【請求項１０】
任意のＷｅｂサイトにアクセス可能な通信手段を更に備えるとともに、前記生物オブジェクトを特定のＷｅｂページにリンクさせておき、前記捕獲操作用入力手段を使用した捕獲操作により生物オブジェクトが捕獲された状態あるいは捕獲に至る過程で発生する特定の状態になったとき、当該生物オブジェクトにリンクしたＷｅｂページの存在するＷｅｂサイトにアクセスし、当該Ｗｅｂページを前記表示手段に表示させるように構成したことを特徴とする請求項５〜９のいずれかに記載の娯楽システム。
【請求項１１】
複数種類の生物の外見に関する特徴データと当該生物が観察される時期および地域に関するデータとを各生物ごとに対応させて記憶した生物データ記憶手段を更に備え、
前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識することを特徴とする請求項２〜１０のいずれかに記載の娯楽システム。
【請求項１２】
被撮像体を撮像し当該被撮像体の画像データを生成する撮像手段を更に備えたことを特徴とする請求項１〜１１のいずれかに記載の娯楽システム。
【請求項１３】
第１の端末装置とシステム管理装置と第２の端末装置とを通信回線網を介して相互に接続してなる娯楽システムにおいて、
前記第１の端末装置は、
撮像手段で生物を撮像することにより得られた画像データを入力する画像入力手段と、
当該画像入力手段により入力された画像データを送信する第１の送信手段とを備え、
前記システム管理装置は、
前記第１の端末装置から送られてきた画像データを受信する第１の受信手段と、
前記第１の受信手段により受信した画像データに基づいて前記生物を表現する生物オブジェクトのデータを生成する生物オブジェクト生成手段と、
前記生物オブジェクト生成手段により生成されたデータを送信する第２の送信手段とを備え、
前記第２の端末装置は、
前記システム管理装置から送られてきたデータを受信する第２の受信手段と、
前記撮像手段で撮像された生物を仮想的に生息させるための仮想空間を表示する表示手段と、
前記第２の受信手段により受信したデータに基づいて前記生物オブジェクトを含む前記仮想空間を前記表示手段に表示させる画像制御手段とを備えたことを特徴とする娯楽システム。
【請求項１４】
前記生物オブジェクト生成手段は、
前記第１の受信手段により受信した画像データを記憶する画像記憶手段と、
前記画像記憶手段に記憶した画像データに基づいて前記生物を認識する画像認識手段と、
前記画像認識手段による認識結果に基づいて前記生物を表現する生物オブジェクトのデータを生成するオブジェクトデータ生成手段とを備えていることを特徴とする請求項１３に記載の娯楽システム。
【請求項１５】
前記システム管理装置は、前記生物オブジェクトに付随し所定の条件が成立したときに呼び出される属性情報のデータを生成する属性情報生成手段を更に備え、
前記第２の送信手段は、当該属性情報生成手段で生成されたデータを送信する機能を更に備え、
前記画像制御手段は、
前記第２の受信手段により受信したデータに基づいて、前記生物オブジェクトを含む前記仮想空間を前記表示手段に表示させるとともに、当該生物オブジェクトに付随する属性情報を所定の条件が成立したときに前記表示手段に表示させる機能を備えたことを特徴とする請求項１４に記載の娯楽システム。
【請求項１６】
前記第２の端末装置は、前記仮想空間内に表示されている任意のオブジェクトを指示するための指示用入力手段を更に備え、当該指示用入力手段により前記生物オブジェクトが指示されたとき、当該生物オブジェクトに付随する前記属性情報を前記表示手段に表示させることを特徴とする請求項１５に記載の娯楽システム。
【請求項１７】
前記第２の端末装置は、前記仮想空間内の生物オブジェクトを捕獲するための捕獲操作用入力手段を更に備え、当該捕獲操作用入力手段を使用した捕獲操作により生物オブジェクトが捕獲された状態あるいは捕獲に至る過程で発生する特定の状態になったとき、当該生物オブジェクトに付随する前記属性情報を前記表示手段に表示させることを特徴とする請求項１５または１６に記載の娯楽システム。
【請求項１８】
前記第１の端末装置は、前記属性情報を入力するための属性情報入力手段を更に備え、
前記第１の送信手段は、当該属性情報入力手段により入力された前記属性情報を送信する機能を更に備え、
前記属性情報生成手段は、前記第１の受信手段により受信した情報と前記画像認識手段による認識結果とに基づいて前記属性情報のデータを生成することを特徴とする請求項１５〜１７のいずれかに記載の娯楽システム。
【請求項１９】
前記第１の端末装置は、前記生物を撮像した日時と地点またはそのどちらか一方を特定する撮像関連情報を入力するための撮像関連情報入力手段（撮像時点入力手段、撮像地点入力手段）を更に備え、
前記第１の送信手段は、当該撮像関連情報入力手段により入力された撮像関連情報を送信する機能を更に備え、
前記画像認識手段は、前記第１の受信手段により受信した画像データと前記撮像関連情報とに基づいて前記生物を認識することを特徴とする請求項１４〜１８のいずれかに記載の娯楽システム。
【請求項２０】
前記撮像関連情報入力手段は、暦機能を備えた時計手段を備え、当該時計手段の示す日時情報を前記撮像関連情報に含めることを特徴とする請求項７または１９に記載の娯楽システム。
【請求項２１】
前記撮像関連情報入力手段は、全地球測位システム衛星からの信号に基づいて撮像位置を算出する測位手段を備え、当該測位手段の示す位置情報を前記撮像関連情報に含めることを特徴とする請求項７、１９、２０のいずれかに記載の娯楽システム。
【請求項２２】
前記システム管理装置は、複数種類の生物の外見に関する特徴データと当該生物が観察される時期および地域に関するデータとを各生物ごとに対応させて記憶した生物データ記憶手段を更に備え、
前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識する機能を有することを特徴とする請求項１９〜２１のいずれかに記載の娯楽システム。
【請求項２３】
前記生物オブジェクトは特定のＷｅｂページにリンクしており、
前記第２の端末装置は、任意のＷｅｂサイトにアクセス可能な通信手段を更に備えるとともに、前記指示用入力手段により前記生物オブジェクトが指示されたとき、当該生物オブジェクトにリンクしたＷｅｂページの存在するＷｅｂサイトにアクセスして当該Ｗｅｂページを前記表示手段に表示させることを特徴とする請求項１６〜２２のいずれかに記載の娯楽システム。
【請求項２４】
前記生物オブジェクトは特定のＷｅｂページにリンクしており、
前記第２の端末装置は、前記捕獲操作用入力手段を使用した捕獲操作により生物オブジェクトが捕獲された状態あるいは捕獲に至る過程で発生する特定の状態になったとき、当該生物オブジェクトにリンクしたＷｅｂページの存在するＷｅｂサイトにアクセスして当該Ｗｅｂページを前記表示手段に表示させることを特徴とする請求項１７〜２３のいずれかに記載の娯楽システム。
【請求項２５】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項１〜２４のいずれかに記載の娯楽システム。
【請求項２６】
前記属性情報には、前記生物オブジェクトにより表現された生物の名前、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項３〜１２のいずれか、または請求項１５〜２５のいずれかに記載の娯楽システム。
【請求項２７】
前記属性情報に含まれる電子メールアドレスの表示部分は、電子メールソフトウエアを起動させるアイコンになっており、
前記第２の端末装置は、前記指示用入力手段により当該電子メールアドレスの表示部分が指示されたとき、電子メールソフトウエアを起動して、あるいは既に稼働している電子メールソフトウエアによって送信メッセージ作成画面を前記表示手段に表示するとともに、当該送信メッセージ作成画面の宛先欄に前記電子メールアドレスを記入することを特徴とする請求項２６記載の娯楽システム。
【請求項２８】
前記属性情報の表示領域内に特定のＷｅｂページにリンクしたアンカが存在し、
前記第２の端末装置は、前記指示用入力手段によりアンカが指示されたとき、当該アンカにリンクしたＷｅｂページが存在するＷｅｂサイトにアクセスして当該Ｗｅｂページを前記表示手段に表示させることを特徴とする請求項１６〜２７のいずれかに記載の娯楽システム。
【請求項２９】
前記画像入力手段は、可搬型記録媒体から画像データを読み出す機能を有することを特徴とする請求項１〜２８のいずれかに記載の娯楽システム。
【請求項３０】
前記画像入力手段は、通信回線網を介して送られてきた画像データを受信する機能を有することを特徴とする請求項１〜２９のいずれかに記載の娯楽システム。
【請求項３１】
前記第１の端末装置は、被撮像体を撮像し当該被撮像体の画像データを生成する撮像手段を更に備えていることを特徴とする請求項１３〜３０のいずれかに記載の娯楽システム。
【請求項３２】
第１の端末装置とシステム管理装置と第２の端末装置とを通信回線網を介して相互に接続してなる広告システムにおいて、
前記第１の端末装置は、
撮像手段で生物を撮像することにより得られた画像データを入力する画像入力手段と、
当該画像入力手段により入力された画像データを送信する第１の送信手段とを備え、
前記システム管理装置は、
前記第１の端末装置から送られてきた画像データを受信する第１の受信手段と、
前記第１の受信手段により受信した画像データに基づいて前記生物を表現する生物オブジェクトのデータを生成する生物オブジェクト生成手段と、
前記生物オブジェクトに付随し所定の条件が成立したときに呼び出される広告オブジェクトのデータを生成する広告オブジェクト生成手段と、
前記生物オブジェクト生成手段により生成されたデータとともに前記広告オブジェクト生成手段により生成されたデータを送信する第２の送信手段とを備え、
前記第２の端末装置は、
前記システム管理装置から送られてきたデータを受信する第２の受信手段と、
前記撮像手段で撮像された生物を仮想的に生息させるための仮想空間を表示する表示手段と、
前記第２の受信手段により受信したデータに基づいて、前記生物オブジェクトを含む前記仮想空間を前記表示手段に表示させるとともに、当該生物オブジェクトに付随する広告オブジェクトを所定の条件が成立したときに前記表示手段に表示させる画像制御手段とを備えたことを特徴とする広告システム。
【請求項３３】
第１の端末装置とシステム管理装置と第２の端末装置とを通信回線網を介して相互に接続してなる広告システムにおいて、
前記第１の端末装置は、
撮像手段で生物を撮像することにより得られた画像データを入力する画像入力手段と、
当該画像入力手段により入力された画像データを送信する第１の送信手段とを備え、
前記システム管理装置は、
前記第１の端末装置から送られてきた画像データを受信する第１の受信手段と、
前記第１の受信手段により受信した画像データに基づいて前記生物を表現する生物オブジェクトのデータを生成する生物オブジェクト生成手段と、
前記生物オブジェクトに付随し所定の条件が成立したときに呼び出される広告オブジェクトのデータを生成する広告オブジェクト生成手段と、
前記生物オブジェクトに付随し所定の条件が成立したときに呼び出される属性情報のデータを生成する属性情報生成手段と、
前記生物オブジェクト生成手段により生成されたデータとともに前記広告オブジェクト生成手段により生成されたデータおよび前記属性情報生成手段により生成されたデータを送信する第２の送信手段とを備え、
前記第２の端末装置は、
前記システム管理装置から送られてきたデータを受信する第２の受信手段と、
前記撮像手段で撮像された生物を仮想的に生息させるための仮想空間を表示する表示手段と、
前記第２の受信手段により受信したデータに基づいて前記生物オブジェクトを含む前記仮想空間を前記表示手段に表示させるとともに、当該生物オブジェクトに付随する前記広告オブジェクトと前記属性情報とを所定の条件が成立したときに前記表示手段に表示させる画像制御手段とを備えたことを特徴とする広告システム。
【請求項３４】
前記生物オブジェクト生成手段は、
前記第１の受信手段により受信した画像データを記憶する画像記憶手段と、
前記画像記憶手段に記憶した画像データに基づいて前記生物を認識する画像認識手段と、
前記画像認識手段による認識結果に基づいて前記生物を表現する生物オブジェクトのデータを生成するオブジェクトデータ生成手段とを備えていることを特徴とする請求項３２または３３に記載の広告システム。
【請求項３５】
前記第２の端末装置は、前記仮想空間内に表示されている任意のオブジェクトを指示するための指示用入力手段を更に備え、当該指示用入力手段により前記生物オブジェクトが指示されたとき、当該生物オブジェクトに付随する前記広告オブジェクトを前記表示手段に表示させることを特徴とする請求項３２〜３４のいずれかに記載の広告システム。
【請求項３６】
前記第２の端末装置は、前記仮想空間内の生物オブジェクトを画面上で捕獲するための捕獲操作用入力手段を更に備え、当該捕獲操作用入力手段を使用した捕獲操作により生物オブジェクトが捕獲された状態あるいは捕獲に至る過程で発生する特定の状態になったとき、当該生物オブジェクトに付随する前記広告オブジェクトを前記表示手段に表示させることを特徴とする請求項３２〜３５のいずれかに記載の広告システム。
【請求項３７】
前記第１の端末装置は、前記属性情報を入力するための属性情報入力手段を更に備え、
前記第１の送信手段は、当該属性情報入力手段により入力された前記属性情報を送信する機能を更に備え、
前記属性情報生成手段は、前記第１の受信手段により受信した前記属性情報と前記画像認識手段による認識結果とに基づいて前記属性情報のデータを生成することを特徴とする請求項３３〜３６のいずれかに記載の広告システム。
【請求項３８】
前記第１の端末装置は、前記生物を撮像した日時と地点またはそのどちらか一方を特定する撮像関連情報を入力するための撮像関連情報入力手段（撮像時点入力手段、撮像地点入力手段）を更に備え、
前記第１の送信手段は、当該撮像関連情報入力手段により入力された撮像関連情報を送信する機能を更に備え、
前記画像認識手段は、前記第１の受信手段により受信した画像データと前記撮像関連情報とに基づいて前記生物を認識することを特徴とする請求項３４〜３７のいずれかに記載の広告システム。
【請求項３９】
前記撮像関連情報入力手段は、暦機能を備えた時計手段を備え、当該時計手段の示す日時情報を前記撮像関連情報に含めることを特徴とする請求項３８に記載の広告システム。
【請求項４０】
前記撮像関連情報入力手段は、全地球測位システム衛星からの信号に基づいて撮像位置を算出する測位手段を備え、当該測位手段の示す位置情報を前記撮像関連情報に含めることを特徴とする請求項３８または３９に記載の広告システム。
【請求項４１】
前記システム管理装置は、複数種類の生物の外見に関する特徴データと当該生物が観察される時期および地域に関するデータとを各生物ごとに対応させて記憶した生物データ記憶手段を更に備え、
前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識する機能を有することを特徴とする請求項３９〜４０のいずれかに記載の広告システム。
【請求項４２】
前記広告オブジェクトは特定のＷｅｂページにリンクしており、
前記第２の端末装置は、任意のＷｅｂサイトにアクセス可能な通信手段を更に備えるとともに、前記指示用入力手段により前記広告オブジェクトが指示されたとき、当該広告オブジェクトにリンクしたＷｅｂページの存在するＷｅｂサイトにアクセスして当該Ｗｅｂページを前記表示手段に表示させることを特徴とする請求項３５〜４１のいずれかに記載の広告システム。
【請求項４３】
前記生物オブジェクトは特定のＷｅｂページにリンクしており、
前記第２の端末装置は、任意のＷｅｂサイトにアクセス可能な通信手段を更に備えるとともに、前記指示用入力手段により前記生物オブジェクトが指示されたとき、当該生物オブジェクトにリンクしたＷｅｂページの存在するＷｅｂサイトにアクセスして当該Ｗｅｂページを前記表示手段に表示させることを特徴とする請求項３５〜４２のいずれかに記載の広告システム。
【請求項４４】
前記生物オブジェクトは特定のＷｅｂページにリンクしており、
前記第２の端末装置は、前記捕獲操作用入力手段を使用した捕獲操作により生物オブジェクトが捕獲された状態あるいは捕獲に至る過程で発生する特定の状態になったとき、当該生物オブジェクトにリンクしたＷｅｂページの存在するＷｅｂサイトにアクセスして当該Ｗｅｂページを前記表示手段に表示させることを特徴とする請求項３６〜４３のいずれかに記載の広告システム。
【請求項４５】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項３２〜４４のいずれかに記載の広告システム。
【請求項４６】
前記属性情報には、前記生物オブジェクトにより表現された生物の名前、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項３３〜４５のいずれかに記載の広告システム。
【請求項４７】
前記属性情報に含まれる電子メールアドレスの表示部分は、電子メールソフトウエアを起動させるアイコンになっており、
前記第２の端末装置は、前記指示用入力手段により当該電子メールアドレスの表示部分が指示されたとき、電子メールソフトウエアを起動して、あるいは既に稼働している電子メールソフトウエアによって送信メッセージ作成画面を前記表示手段に表示するとともに、当該送信メッセージ作成画面の宛先欄に前記電子メールアドレスを記入することを特徴とする請求項４６に記載の広告システム。
【請求項４８】
前記属性情報の表示領域内に特定のＷｅｂページにリンクしたアンカが存在し、
前記第２の端末装置は、前記指示用入力手段によりアンカが指示されたとき、当該アンカにリンクしたＷｅｂページが存在するＷｅｂサイトにアクセスして当該Ｗｅｂページを前記表示手段に表示させることを特徴とする請求項３５〜４７のいずれかに記載の広告システム。
【請求項４９】
前記画像入力手段は、可搬型記録媒体から画像データを読み出す機能を有することを特徴とする請求項３２〜４８のいずれかに記載の広告システム。
【請求項５０】
前記画像入力手段は、通信回線網を介して送られてきた画像データを受信する機能を有することを特徴とする請求項３２〜４９のいずれかに記載の広告システム。
【請求項５１】
前記第１の端末装置は、被撮像体を撮像し当該被撮像体の画像データを生成する撮像手段を更に備えていることを特徴とする請求項３２〜５０のいずれかに記載の広告システム。
【請求項５２】
生物を撮像手段で撮像することにより当該生物を含む被写体の画像データを生成するステップと、
前記画像データに基づいて前記生物を表現する生物オブジェクトのデータを生成するステップと、
前記生物を仮想的に生息させるための仮想空間を表示するステップと、
前記仮想空間内に当該生物オブジェクトを表示するステップとを含むことを特徴とする娯楽方法。
【請求項５３】
生物を撮像手段で撮像することにより当該生物を含む被写体の画像データを生成するステップと、
前記画像データに基づいて前記生物を認識し、その認識結果に基づいて前記生物を表現する生物オブジェクトのデータを生成するステップと、
前記生物を仮想的に生息させるための仮想空間を表示するステップと、
前記仮想空間内に当該生物オブジェクトを表示するステップとを含むことを特徴とする娯楽方法。
【請求項５４】
前記生物オブジェクトに付随し所定の条件が成立したときに呼び出される属性情報のデータを生成するステップと、
所定の条件が成立したときに、前記属性情報を表示するステップとを含むことを特徴とする請求項５２または５３に記載の娯楽方法。
【請求項５５】
生物を撮像手段で撮像することにより当該生物を含む被写体の画像データを生成するステップと、
前記画像データを第１の端末装置を用いてシステム管理装置に送信するステップと、
前記第１の端末装置から送られてきた前記画像データを前記システム管理装置が受信するステップと、
受信した前記画像データに基づいて、前記生物を表現する生物オブジェクトのデータを前記システム管理装置が生成するステップと、
前記生物オブジェクトのデータを前記システム管理装置が第２の端末装置に送信するステップと、
前記システム管理装置から送られてきたデータを前記第２の端末装置が受信するステップと、
前記生物を仮想的に生息させるための仮想空間を前記第２の端末装置が表示するステップと、
受信した前記生物オブジェクトのデータに基づいて、前記第２の端末装置が前記仮想空間内に当該生物オブジェクトを表示するステップとを含むことを特徴とする娯楽方法。
【請求項５６】
生物を撮像手段で撮像することにより当該生物を含む被写体の画像データを生成するステップと、
前記画像データを第１の端末装置を用いてシステム管理装置に送信するステップと、
前記第１の端末装置から送られてきた前記画像データを前記システム管理装置が受信するステップと、
受信した前記画像データに基づいて、前記生物を表現する生物オブジェクトのデータを前記システム管理装置が生成するステップと、
前記生物オブジェクトに付随して所定の条件が成立したときに呼び出される属性情報のデータを前記システム管理装置が生成するステップと、
前記生物オブジェクトのデータと前記属性情報のデータとを前記システム管理装置が第２の端末装置に送信するステップと、
前記システム管理装置から送られてきたデータを前記第２の端末装置が受信するステップと、
前記生物を仮想的に生息させるための仮想空間を前記第２の端末装置が表示するステップと、
受信した前記生物オブジェクトのデータに基づいて、前記第２の端末装置が前記仮想空間内に当該生物オブジェクトを表示するステップと、
受信した前記属性情報のデータに基づいて、所定の条件が成立したときに、前記第２の端末装置が前記属性情報を表示するステップとを含むことを特徴とする娯楽方法。
【請求項５７】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項５２〜５６のいずれかに記載の娯楽方法。
【請求項５８】
前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項５４、５６、５７のいずれかに記載の娯楽方法。
【請求項５９】
前記所定の条件は、前記仮想空間内に表示されている任意のオブジェクトを指示するための指示用入力手段により前記生物オブジェクトが指示されたことであることを特徴とする請求項５４、５６、５７、５８のいずれかに記載の娯楽方法。
【請求項６０】
前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする請求項５４、５６、５７、５８、５９のいずれかに記載の娯楽方法。
【請求項６１】
前記生物オブジェクトを特定のＷｅｂページにリンクさせるステップと、
前記所定の条件が成立したとき、当該生物オブジェクトにリンクしたＷｅｂページの存在するＷｅｂサイトにアクセスするステップと、
当該Ｗｅｂページを表示させるステップとを含むことを特徴とする請求項５９または６０に記載の娯楽方法。
【請求項６２】
前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップを含むことを特徴とする請求項５８〜６１のいずれかに記載の娯楽方法。
【請求項６３】
生物を撮像することにより当該生物を含む被写体の画像データを生成するステップと、
前記画像データを第１の端末装置を用いてシステム管理装置に送信するステップと、
前記第１の端末装置から送られてきた前記画像データを前記システム管理装置が受信するステップと、
受信した前記画像データに基づいて、前記生物を表現する生物オブジェクトのデータを前記システム管理装置が生成するステップと、
前記生物オブジェクトに付随して所定の条件が成立したときに呼び出される広告オブジェクトのデータを前記システム管理装置が生成するステップと、
前記生物オブジェクトのデータと前記広告オブジェクトのデータとを前記システム管理装置が第２の端末装置に送信するステップと、
前記システム管理装置から送られてきたデータを前記第２の端末装置が受信するステップと、
前記生物を仮想的に生息させるための仮想空間を前記第２の端末装置が表示するステップと、
受信した前記生物オブジェクトのデータに基づいて、前記第２の端末装置が前記仮想空間内に当該生物オブジェクトを表示するステップと、
受信した前記広告オブジェクトのデータに基づいて、所定の条件が成立したときに、前記第２の端末装置が前記広告オブジェクトを表示するステップとを含むことを特徴とする広告方法。
【請求項６４】
生物を撮像することにより当該生物を含む被写体の画像データを生成するステップと、
前記画像データを第１の端末装置を用いてシステム管理装置に送信するステップと、
前記第１の端末装置から送られてきた前記画像データを前記システム管理装置が受信するステップと、
受信した前記画像データに基づいて、前記生物を表現する生物オブジェクトのデータを前記システム管理装置が生成するステップと、
前記生物オブジェクトに付随して所定の条件が成立したときに呼び出される広告オブジェクトのデータを前記システム管理装置が生成するステップと、
前記生物オブジェクトに付随して所定の条件が成立したときに呼び出される属性情報のデータを前記システム管理装置が生成するステップと、
前記生物オブジェクトのデータと前記広告オブジェクトのデータと属性情報のデータとを前記システム管理装置が第２の端末装置に送信するステップと、
前記システム管理装置から送られてきたデータを前記第２の端末装置が受信するステップと、
前記生物を仮想的に生息させるための仮想空間を前記第２の端末装置が表示するステップと、
受信した前記生物オブジェクトのデータに基づいて、前記第２の端末装置が前記仮想空間内に当該生物オブジェクトを表示するステップと、
受信した前記属性情報のデータに基づいて、所定の条件が成立したときに、前記第２の端末装置が前記属性情報を表示するステップと、
受信した前記広告オブジェクトのデータに基づいて、所定の条件が成立したときに、前記第２の端末装置が前記広告オブジェクトを表示するステップとを含むことを特徴とする広告方法。
【請求項６５】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項６３または６４に記載の広告方法。
【請求項６６】
前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項６４または６５に記載の広告方法。
【請求項６７】
前記所定の条件は、画面上で任意のオブジェクトを指示するための指示用入力手段により前記生物オブジェクトが指示されたことであることを特徴とする請求項６３〜６６のいずれかに記載の広告方法。
【請求項６８】
前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする請求項６３〜６７のいずれかに記載の広告方法。
【請求項６９】
前記生物オブジェクトを特定のＷｅｂページにリンクさせるステップと、
前記所定の条件が成立したとき、当該生物オブジェクトにリンクしたＷｅｂページの存在するＷｅｂサイトにアクセスするステップと、
当該Ｗｅｂページを表示させるステップとを含むことを特徴とする請求項６３〜６８のいずれかに記載の広告方法。
【請求項７０】
前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップを含むことを特徴とする請求項６６〜６９のいずれかに記載の広告方法。
【請求項７１】
前記広告オブジェクトを特定のＷｅｂページにリンクさせるステップと、
前記所定の条件が成立したとき、当該広告オブジェクトにリンクしたＷｅｂページの存在するＷｅｂサイトにアクセスするステップと、
当該Ｗｅｂページを表示させるステップとを含むことを特徴とする請求項６３〜７０のいずれかに記載の広告方法。
【請求項７２】
前記所定の条件は、画面上で任意のオブジェクトを指示するための指示用入力手段により前記広告オブジェクトが指示されたことであることを特徴とする請求項７１に記載の広告方法。
【請求項７３】
生物を撮像することにより生成された画像データに基づいて当該生物を表現する生物オブジェクトのデータを生成する機能と、
前記生物オブジェクトのデータに基づいて当該生物オブジェクトを含む仮想空間を画像表示手段に表示させる機能とをコンピュータを用いて実現するためのプログラムが記録されていることを特徴とする機械読み取り可能な記録媒体。
【請求項７４】
前記画像データを通信回線網を介して受信する機能をコンピュータを用いて実現するためのプログラムが記録されていることを特徴とする請求項７３に記載の機械読み取り可能な記録媒体。
【請求項７５】
前記生物オブジェクトに付随して所定の条件が成立したときに呼び出される属性情報のデータを生成する機能と、
前記属性情報のデータに基づいて当該属性情報を画像表示手段に表示させる機能とをコンピュータを用いて実現するためのプログラムが記録されていることを特徴とする請求項７３または７４に記載の機械読み取り可能な記録媒体。
【請求項７６】
生物を撮像することにより得られた画像データを通信回線網を介して受信する機能と、
前記画像データに基づいて当該生物を表現する生物オブジェクトのデータを生成する機能と、
前記生物オブジェクトのデータを通信回線網を介して送信する機能とをコンピュータを用いて実現するためのプログラムが記録されていることを特徴とする機械読み取り可能な記録媒体。
【請求項７７】
前記生物オブジェクトに付随して所定の条件が成立したときに呼び出される属性情報のデータを生成する機能と、
前記属性情報のデータを通信回線網を介して送信する機能とをコンピュータを用いて実現するためのプログラムが記録されていることを特徴とする請求項７６に記載の機械読み取り可能な記録媒体。
【請求項７８】
前記生物オブジェクトに付随して所定の条件が成立したときに呼び出される広告オブジェクトのデータを生成する機能と、
前記広告オブジェクトのデータを通信回線網を介して送信する機能とをコンピュータを用いて実現するためのプログラムが記録されていることを特徴とする請求項７６または７７記載の機械読み取り可能な記録媒体。
【請求項７９】
生物を撮像することにより得られた画像データに基づいて当該生物を表現すべく生成された生物オブジェクトのデータを通信回線網を介して受信する機能と、
前記生物オブジェクトのデータに基づいて当該生物オブジェクトを含む前記仮想空間を画像表示手段に表示させる機能とをコンピュータを用いて実現するためのプログラムが記録されていることを特徴とする機械読み取り可能な記録媒体。
【請求項８０】
前記生物オブジェクトに付随して所定の条件が成立したときに呼び出される属性情報のデータを通信回線網を介して受信する機能と、
前記属性情報のデータに基づいて当該属性情報を画像表示手段に表示させる機能とをコンピュータを用いて実現するためのプログラムが記録されていることを特徴とする請求項７９に記載の機械読み取り可能な記録媒体。
【請求項８１】
前記生物オブジェクトに付随して所定の条件が成立したときに呼び出される広告オブジェクトのデータを通信回線網を介して受信する機能と、
前記属性情報のデータに基づいて当該属性情報を画像表示手段に表示させる機能とをコンピュータを用いて実現するためのプログラムが記録されていることを特徴とする請求項７９または８０に記載の機械読み取り可能な記録媒体。
【請求項８２】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項７３〜８１のいずれかに記載の機械読み取り可能な記録媒体。
【請求項８３】
前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項７５〜８２のいずれかに記載の機械読み取り可能な記録媒体。
【請求項８４】
前記所定の条件は、画面上で任意のオブジェクトを指示するための指示用入力手段により前記生物オブジェクトが指示されたことであることを特徴とする請求項７５、７７、７８、８０、８１、８２、８３のいずれかに記載の機械読み取り可能な記録媒体。
【請求項８５】
前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする請求項７５、７７、７８、８０、８１、８２、８３、８４のいずれかに記載の機械読み取り可能な記録媒体。
【請求項８６】
前記生物オブジェクトを特定のＷｅｂページにリンクまたは対応させる機能と、
前記所定の条件が成立したとき、当該生物オブジェクトにリンクしたＷｅｂページまたは当該生物オブジェクトに対応したＷｅｂページを表示する機能とをコンピュータを用いて実現するためのプログラムが記録されていることを特徴とする請求項７９〜８５のいずれかに記載の機械読み取り可能な記録媒体。
【請求項８７】
前記属性情報に含まれる電子メールアドレスの表示部分を電子メールソフトウエアを起動させるアイコンとする機能と、
画面上で任意のオブジェクトを指示するための指示用入力手段により前記電子メールアドレスの表示部分が指示されたとき、電子メールソフトウエアを起動して送信メッセージ作成画面を表示するとともに、当該送信メッセージ作成画面の宛先欄に前記電子メールアドレスを記入する機能とをコンピュータを用いて実現するためのプログラムが記録されていることを特徴とする請求項８３〜８６のいずれかに記載の機械読み取り可能な記録媒体。
【請求項８８】
前記属性情報の表示領域内に特定のＷｅｂページにリンクしたアンカを存在させる機能と、
画面上で任意のオブジェクトを指示するための指示用入力手段によりアンカが指示されたとき、当該アンカにリンクしたＷｅｂページを表示することを特徴とをコンピュータを用いて実現するためのプログラムが記録されていることを特徴とする請求項８０〜８７のいずれかに記載の機械読み取り可能な記録媒体。
【請求項８９】
前記広告オブジェクトをの特定のＷｅｂページにリンクまたは対応させる機能と、
画面上で任意のオブジェクトを指示するための指示用入力手段により前記広告オブジェクトが指示されたとき、当該広告オブジェクトにリンクまたは対応したＷｅｂページを表示する機能とをコンピュータを用いて実現するためのプログラムが記録されていることを特徴とする請求項８１〜８８のいずれかに記載の機械読み取り可能な記録媒体。
【請求項９０】
複数種類の生物の外見に関する特徴データと当該生物が観察される時期および地域に関するデータとを各生物ごとに対応させて記憶する機能と、
生物を撮像することにより得られた画像データから特徴要素を抽出してその結果を示す抽出データ（輪郭、模様など）を生成する機能と、
前記生物を撮像した日時と地点またはそのどちらか一方を特定する撮像関連情報を受け取る機能と、
前記撮像関連情報に基づいて前記特徴データに優先順位を設定し、優先順位の高い前記特徴データから順に、前記抽出データと比較していくことにより前記生物を認識する機能とをコンピュータを用いて実現するためのプログラムが記録されていることを特徴とする機械読み取り可能な記録媒体。
【請求項９１】
複数種類の生物の外見に関する特徴データと当該生物が観察される時期および地域に関するデータとを各生物ごとに対応させてメモリに記憶するステップと、
生物を撮像することにより得られた画像データから特徴要素を抽出してその結果を示す抽出データ（輪郭、模様など）を生成するステップと、
前記生物を撮像した日時と地点またはそのどちらか一方を特定する撮像関連情報を取得するステップと、
前記撮像関連情報に基づいて前記メモリに記憶されている前記特徴データに優先順位を設定するステップと、
優先順位の高い前記特徴データから順に、前記抽出データと比較していくことにより前記生物を認識するステップとを含むことを特徴とする生物認識方法。
【請求項９２】
撮像装置と、システム管理装置と、端末装置とからなる生物食材の流通システムであって、
前記撮像装置は、食材となる生物を撮像し当該生物の画像データを生成するための手段であり、
前記システム管理装置は、
前記撮像装置で撮像することにより得られた生物の画像データを入力する画像入力手段と、
前記画像入力手段により入力された画像データに基づいて前記生物を表現する生物オブジェクトのデータを生成する生物オブジェクト生成手段と、
前記生物オブジェクトのデータの認証データを生成する認証データ生成手段と、
前記生物オブジェクトのデータに前記認証データを付した認証済みオブジェクトデータを可搬型記録媒体に記録する記録手段とを備え、
前記端末装置は、
前記撮像手段で撮像された生物を仮想的に生息させるための仮想空間を表示する表示手段と、
前記可搬型記録媒体から前記認証済みオブジェクトデータを読み出す読出手段と、
当該読出手段により読み出した前記認証済みオブジェクトデータに基づいて前記生物オブジェクトを含む前記仮想空間を前記表示手段に表示させる画像制御手段とを備えたことを特徴とする生物食材の流通システム。
【請求項９３】
撮像装置と、システム管理装置と、端末装置とからなる生物食材の流通システムであって、
前記撮像装置は、食材となる生物を撮像し当該生物の画像データを生成するための手段であり、
前記システム管理装置は、
前記撮像装置で撮像することにより得られた生物の画像データを入力する画像入力手段と、
前記画像入力手段により入力された画像データに基づいて前記生物を表現する生物オブジェクトのデータを生成する生物オブジェクト生成手段と、
前記生物オブジェクトのデータの認証データを生成する認証データ生成手段と、
前記生物オブジェクトのデータに前記認証データを付した認証済みオブジェクトデータを前記端末装置に送信する送信手段とを備え、
前記端末装置は、
前記撮像手段で撮像された生物を仮想的に生息させるための仮想空間を表示する表示手段と、
前記システム管理装置から送られてきた前記認証済みオブジェクトデータを受信する受信手段と、
当該受信手段により受信した前記認証済みオブジェクトデータに基づいて前記生物オブジェクトを含む前記仮想空間を前記表示手段に表示させる画像制御手段とを備えたことを特徴とする生物食材の流通システム。
【請求項９４】
前記生物オブジェクト生成手段は、
前記画像入力手段により入力された画像データを記憶する画像記憶手段と、
前記画像記憶手段に記憶した画像データに基づいて前記生物を認識する画像認識手段と、
前記画像認識手段による認識結果に基づいて前記生物を表現する生物オブジェクトのデータを生成するオブジェクトデータ生成手段とを備えていることを特徴とする請求項９２または９３に記載の生物食材の流通システム。
【請求項９５】
撮像装置と、システム管理装置と、端末装置とからなる生物食材の流通システムであって、
前記撮像装置は、食材となる生物を撮像し当該生物の画像データを生成するための手段であり、
前記システム管理装置は、
前記撮像装置で撮像することにより得られた生物の画像データを入力する画像入力手段と、
前記画像入力手段により入力された画像データを記憶する画像記憶手段と、
前記画像記憶手段に記憶した画像データの認証データを生成する認証データ生成手段と、
前記画像データに前記認証データを付した認証済み画像データを可搬型記録媒体に記録する記録手段とを備え、
前記端末装置は、
前記可搬型記録媒体から前記認証済み画像データを読み出す読出手段と、
当該読出手段により読み出した前記認証済み画像データに基づいて前記生物の画像を前記表示手段に表示させる画像制御手段とを備えたことを特徴とする生物食材の流通システム。
【請求項９６】
前記生物オブジェクトは、請求項１〜３１のいずれかに記載の娯楽システムまたは請求項３２〜５１のいずれかに記載の広告システムにおける生物オブジェクトとして利用可能であることを特徴とする請求項９２〜９４のいずれかに記載の生物食材の流通システム。
【請求項９７】
前記認証データは、電子透かしデータであることを特徴とする請求項９２〜９５のいずれかに記載の生物食材の流通システム。
【請求項９８】
前記認証データは、所定の条件が成立したときに前記表示手段に表示されるマークであることを特徴とする請求項９２〜９６のいずれかに記載の生物食材の流通システム。
【請求項９９】
食材となる生物を撮像手段で撮像することにより当該生物を含む被写体の画像データを生成するステップと、
前記画像データに基づいて、前記生物を表現する生物オブジェクトのデータを生成するステップと、
前記生物オブジェクトのデータに認証データを付した認証済みデータを可搬型記録媒体に記録するステップと、
前記生物またはその加工物を前記可搬型記録媒体と一緒に流通させるステップとを含むことを特徴とする生物食材の流通方法。
【請求項１００】
食材となる生物を撮像手段で撮像することにより当該生物を含む被写体の画像データを生成するステップと、
前記画像データに基づいて、前記生物を表現する生物オブジェクトのデータを生成するステップと、
前記生物オブジェクトのデータに認証データを付したデータを前記生物またはその加工物の発注主に送信するステップとを含むことを特徴とする生物食材の流通方法。
【請求項１０１】
食材となる生物を撮像手段で撮像することにより当該生物を含む被写体の画像データを生成するステップと、
前記画像データに認証データを付した認証済み画像データを可搬型記録媒体に記録するステップと、
前記生物またはその加工物を前記可搬型記録媒体と一緒に流通させるステップとを含むことを特徴とする生物食材の流通方法。
【請求項１０２】
前記生物オブジェクトは、請求項１〜３１のいずれかに記載の娯楽システムまたは請求項３２〜５１のいずれかに記載の広告システムにおける生物オブジェクトとして、もしくは、請求項５２〜６２のいずれかに記載の娯楽方法または請求項６３〜７２のいずれかに記載の広告システムにおける生物オブジェクトとして利用可能であることを特徴とする請求項９９または１００に記載の生物食材の流通方法。
【請求項１０３】
前記認証データは、電子透かしデータであることを特徴とする請求項９９〜１０２のいずれかに記載の生物食材の流通方法。
【請求項１０４】
前記認証データは、所定の条件が成立したときに表示されるマークであることを特徴とする請求項９９〜１０３のいずれかに記載の生物食材の流通方法。
【請求項１０５】
請求項１〜３１のいずれかに記載の娯楽システムまたは請求項３２〜５１のいずれかに記載の広告システムにおける前記表示手段を備えたことを特徴とする店舗。
【請求項１０６】
前記表示手段は、店舗の内壁面部、天井部、外壁面部のうちの少なくとも一箇所に設けられていることを特徴とする請求項１０５に記載の店舗。
【請求項１０７】
前記表示手段は、店舗の床に設置されたテーブルまたはカウンタに設けられていることを特徴とする請求項１０５または１０６に記載の店舗。
【請求項１０８】
請求項１３〜３１のいずれかに記載の娯楽システムまたは請求項３２〜５１のいずれかに記載の広告システムを利用して、地球上に生息している生物に関連する情報を収集することを特徴とする地球環境情報収集システム。
【請求項１０９】
請求項１３〜３１のいずれかに記載の娯楽システムまたは請求項３２〜５１に記載の広告システムを利用して、地球上に生息している生物に関連する情報を収集することを特徴とする地球環境情報収集方法。
【請求項１１０】
請求項１０８のシステムまたは請求項１０９の方法により収集した情報と公知の気象観測システムにより収集した気象情報とに基づいて気象予報を行うことを特徴とする気象予報システム。
【請求項１１１】
請求項１０８のシステムまたは請求項１０９の方法により収集した情報と公知の気象観測システムにより収集した気象情報とに基づいて気象予報を行うことを特徴とする気象予報方法。
【請求項１１２】
請求項１０８のシステムまたは請求項１０９の方法により収集した情報と公知の地震観測システムにより収集した地震情報とに基づいて地震予知を行うことを特徴とする地震予知システム。
【請求項１１３】
請求項１０８のシステムまたは請求項１０９の方法により収集した情報と公知の地震観測システムにより収集した地震情報とに基づいて地震予知を行うことを特徴とする地震予知方法。
【請求項１１４】
生物を撮像することにより生成された画像データに基づいて当該生物を表現する生物オブジェクトのデータを生成するステップと、
前記生物オブジェクトのデータに基づいて当該生物オブジェクトを含む仮想空間を画像表示手段に表示させるステップとをコンピュータに実行させるためのプログラム。
【請求項１１５】
前記画像データを通信回線網を介して受信するステップをコンピュータに実行させる請求項１１４に記載のプログラム。
【請求項１１６】
前記生物オブジェクトに付随して所定の条件が成立したときに呼び出される属性情報のデータを生成するステップと、
前記属性情報のデータに基づいて当該属性情報を画像表示手段に表示させるステップとをコンピュータに実行させる請求項１１４または１１５に記載のプログラム。
【請求項１１７】
生物を撮像することにより得られた画像データを通信回線網を介して受信するステップと、
前記画像データに基づいて当該生物を表現する生物オブジェクトのデータを生成するステップと、
前記生物オブジェクトのデータを通信回線網を介して送信するステップとをコンピュータに実行させるためのプログラム。
【請求項１１８】
前記生物オブジェクトに付随して所定の条件が成立したときに呼び出される属性情報のデータを生成するステップと、
前記属性情報のデータを通信回線網を介して送信するステップとをコンピュータに実行させる請求項１１７に記載のプログラム。
【請求項１１９】
前記生物オブジェクトに付随して所定の条件が成立したときに呼び出される広告オブジェクトのデータを生成するステップと、
前記広告オブジェクトのデータを通信回線網を介して送信するステップとをコンピュータに実行させる請求項１１７または１１８に記載のプログラム。
【請求項１２０】
生物を撮像することにより得られた画像データに基づいて当該生物を表現すべく生成された生物オブジェクトのデータを通信回線網を介して受信するステップと、
前記生物オブジェクトのデータに基づいて当該生物オブジェクトを含む前記仮想空間を画像表示手段に表示させるステップとをコンピュータに実行させるためのプログラム。
【請求項１２１】
前記生物オブジェクトに付随して所定の条件が成立したときに呼び出される属性情報のデータを通信回線網を介して受信するステップと、
前記属性情報のデータに基づいて当該属性情報を画像表示手段に表示させるステップとをコンピュータに実行させるための請求項１２０に記載のプログラム。
【請求項１２２】
前記生物オブジェクトに付随して所定の条件が成立したときに呼び出される広告オブジェクトのデータを通信回線網を介して受信するステップと、
前記属性情報のデータに基づいて当該属性情報を画像表示手段に表示させるステップとをコンピュータコンピュータに実行させる請求項１２０または１２１に記載のプログラム。
【請求項１２３】
前記生物オブジェクトは、魚その他の水中生物、草花、虫、鳥、獣、は虫類、両生類、家畜のうちのいずれかを表現する三次元動画像オブジェクトであり、
前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、
前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、
前記生物オブジェクトが家畜を表現するオブジェクトの場合における前記仮想空間は野山、森林、草原、庭、道路、畜舎、室内のうちのいずれかを表現する三次元空間映像であることを特徴とする請求項１１４〜１２２のいずれかに記載のプログラム。
【請求項１２４】
前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする請求項１１６、１１８、１１９、１２１、１２２、１２３のいずれかに記載のプログラム。
【請求項１２５】
前記所定の条件は、画面上で任意のオブジェクトを指示するための指示用入力手段により前記生物オブジェクトが指示されたことであることを特徴とする請求項１１６、１１８、１１９、１２１、１２２、１２３、１２４のいずれかに記載のプログラム。
【請求項１２６】
前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする請求項１１６、１１８、１１９、１２１、１２２、１２３、１２４、１２５のいずれかに記載のプログラム。
【請求項１２７】
前記生物オブジェクトを特定のＷｅｂページにリンクまたは対応させるステップと、
前記所定の条件が成立したとき、当該生物オブジェクトにリンクしたＷｅｂページまたは当該生物オブジェクトに対応したＷｅｂページを表示するステップとをコンピュータに実行させる請求項１２０〜１２６のいずれかに記載のプログラム。
【請求項１２８】
前記属性情報に含まれる電子メールアドレスの表示部分を電子メールソフトウエアを起動させるアイコンとするステップと、
画面上で任意のオブジェクトを指示するための指示用入力手段により前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップとをコンピュータに実行させる請求項１２４〜１２７のいずれかに記載のプログラム。
【請求項１２９】
前記属性情報の表示領域内に特定のＷｅｂページにリンクしたアンカを存在させるステップと、
画面上で任意のオブジェクトを指示するための指示用入力手段によりアンカが指示されたとき、当該アンカにリンクしたＷｅｂページを表示するステップとをコンピュータに実行させる請求項１２１〜１２８のいずれかに記載のプログラム。
【請求項１３０】
前記広告オブジェクトを特定のＷｅｂページにリンクまたは対応させるステップと、
画面上で任意のオブジェクトを指示するための指示用入力手段により前記広告オブジェクトが指示されたとき、当該広告オブジェクトにリンクまたは対応したＷｅｂページを表示するステップとをコンピュータに実行させる請求項１２２〜１２９のいずれかに記載のプログラム。
【請求項１３１】
複数種類の生物の外見に関する特徴データと当該生物が観察される時期および地域に関するデータとを各生物ごとに対応させて記憶するステップと、
生物を撮像することにより得られた画像データから特徴要素を抽出してその結果を示す抽出データ（輪郭、模様など）を生成するステップと、
前記生物を撮像した日時と地点またはそのどちらか一方を特定する撮像関連情報を受け取るステップと、
前記撮像関連情報に基づいて前記特徴データに優先順位を設定し、優先順位の高い前記特徴データから順に、前記抽出データと比較していくことにより前記生物を認識するステップとをコンピュータに実行させるためのプログラム。
【発明の詳細な説明】
【０００１】
【発明の属する技術分野】
本願発明は、生物の画像データを利用した娯楽システム、広告システム、娯楽方法、広告方法およびこれらを実施するためのプログラム、およびこのプログラムを記録した機械読み取り可能な記録媒体に関するものである。さらには、これら新規な娯楽システム、広告システムを利用した生物食材の流通システム、生物食材の流通方法、店舗、地球環境情報収システム、地球環境情報収方法、気象予報システム、気象予報方法、地震予知システム、地震予知方法などに関するものである。
【０００２】
【従来の技術】
従来、画面を通じて仮想的な釣り体験を楽しむ釣りゲームや、仮想空間内で魚や犬や猫などの動物（ペット）を飼ったり草花を育てたりする育成ゲームが知られている。
【０００３】
また、インターネットを利用した広告方法として、ＷＷＷサーバが提供する画面（以下、Ｗｅｂページと記す。）にバナー広告と呼ばれる広告オブジェクトを表示し、その広告オブジェクトの部分をクリックするだけで、関連する企業や商品などの別の特定のＷｅｂページにジャンプできるようにした広告方法が知られている。
【０００４】
【発明が解決しようとする課題】
しかし、上述した従来の釣りゲームでは、予めゲームメーカが用意した魚しか釣ることができなかったため、プレイヤの興味が次第に失せていくという欠点がある。
【０００５】
また、上述した従来の育成ゲームにおいては、プレイヤによる育成の仕方によって育成対象が様々に違った育ち方をするものの、やはり予めゲームメーカが用意した動物や草花しか育成できないため、プレイヤの興味を長く惹き付けることは難しい。
【０００６】
また、上述した従来の広告方法では、広告オブジェクトを点滅表示したり動画表示したりするなどして目立たせる工夫はされているが、どの広告オブジェクトも基本的には同じような形態でＷｅｂページの一部として表示されているものばかりであり、他の広告オブジェクトと差別化することは難しい。ＷＷＷ上に無数に広告が存在し、不特定多数の者が任意の広告にアクセスできる状況下においては、広告を見る側も楽しむことができる、たとえば釣りゲームや育成ゲームなどを利用した広告方法や、ターゲットとする消費者の注意を特に惹くような奇抜な広告方法が望まれる。
【０００７】
本願発明が解決しようとする課題は、上記従来の技術の欠点を解消することにある。
【０００８】
すなわち、本願発明の第１の課題は、プレイヤの興味を惹き付けて止まない釣りゲームや育成ゲームなどの新規な娯楽システムおよび娯楽方法を提供することにある。
【０００９】
また、第２の課題は、釣りゲームや育成ゲームなどにより広告を見る側を楽しませながら広告を行うことができ、またはターゲットとする消費者の注意を特に惹き付けることができる新規な広告システムおよび広告方法を提供することにある。
【００１０】
さらに、本願発明の第３の課題は、本願発明の娯楽システムおよび広告システムを利用した食材の流通システムおよび流通方法を提供することにある。
【００１１】
また、第４の課題は、本願発明の娯楽システムおよび広告システムを利用した新規な店舗を提供することにある。
【００１２】
また、第５の課題は、本願発明の娯楽システムおよび広告システムを利用した新規な地球環境情報収システムおよび地球環境情報収方法を提供することにある。
【００１３】
また、第６の課題は、本願発明の娯楽システムおよび広告システムを利用した新規な気象予報システム、気象予報方法、地震予知システム、地震予知方法などを提供することにある。
【００１４】
また、第７の課題は、本願発明のシステムをコンピュータを用いて実現するためのプログラムおよびこのプログラムを記録した記録媒体を提供することにある。
【００１５】
【課題を解決するための手段】
上記の課題を解決するために本願発明では以下の手段を採用する。
請求項１に記載の発明にかかる娯楽システムは、図１に示すように、撮像手段で撮像することにより得られた生物の画像データを入力する画像入力手段と、前記撮像手段で撮像された生物を仮想的に生息させるための仮想空間を表示する表示手段と、前記画像入力手段により入力された画像データに基づいて前記生物を表現する生物オブジェクトのデータを生成する生物オブジェクト生成手段と、前記生物オブジェクト生成手段により生成されたデータに基づいて前記生物オブジェクトを含む前記仮想空間を前記表示手段に表示させる画像制御手段とを備えたことを特徴とする。
【００１６】
また、請求項２に記載の発明は、請求項１に記載の娯楽システムにおいて、図２に示すように、前記生物オブジェクト生成手段は、前記画像入力手段により入力された画像データを記憶する画像記憶手段と、前記画像記憶手段に記憶した画像データに基づいて前記生物を認識する画像認識手段と、前記画像認識手段による認識結果に基づいて前記生物を表現する生物オブジェクトのデータを生成するオブジェクトデータ生成手段とを備えていることを特徴とする。
【００１７】
また、請求項３に記載の発明は、請求項１または２に記載の娯楽システムにおいて、図３に示すように、前記生物オブジェクトに付随し所定の条件が成立したときに呼び出される属性情報のデータを生成する属性情報生成手段を更に備え、前記画像制御手段は、前記生物オブジェクト生成手段により生成されたデータに基づいて、前記生物オブジェクトを含む前記仮想空間を前記表示手段に表示させるとともに、前記属性情報生成手段により生成されたデータに基づいて、当該生物オブジェクトに付随する属性情報を所定の条件が成立したときに前記表示手段に表示させることを特徴とする。
【００１８】
また、請求項４に記載の発明は、請求項１〜３のいずれかに記載の娯楽システムにおいて、図４に示すように、前記仮想空間内に表示されている任意のオブジェクトを指示するための指示用入力手段を更に備え、当該指示用入力手段により前記生物オブジェクトが指示されたとき（前記生物オブジェクトに注目点（ポインタ）を置いて指示用入力手段の操作子（ボタンなど）が操作（押圧など）されたときなど。）、当該生物オブジェクトに付随する前記属性情報を前記表示手段に表示させるように構成したことを特徴とする。
【００１９】
また、請求項５に記載の発明は、請求項１〜４のいずれかに記載の娯楽システムにおいて、図５に示すように、前記仮想空間内の生物オブジェクトを画面上で捕獲するための捕獲操作用入力手段を更に備え、当該捕獲操作用入力手段を使用した捕獲操作により生物オブジェクトが捕獲された状態（生物オブジェクトが魚の場合は、魚が釣針に掛かった状態（ヒット状態）や、魚を釣り上げた状態など）あるいは捕獲に至る過程で発生する特定の状態（生物オブジェクトが魚の場合は、アタリ状態、バラシ状態など）になったとき、当該生物オブジェクトに付随する前記属性情報を前記表示手段に表示させるように構成したことを特徴とする。
【００２０】
また、請求項６に記載の発明は、請求項３〜５のいずれかに記載の娯楽システムにおいて、図６に示すように、前記属性情報を入力するための属性情報入力手段を更に備え、前記属性情報生成手段は、当該属性情報入力手段により入力された情報と前記画像認識手段による認識結果とに基づいて前記属性情報のデータを生成することを特徴とする。
【００２１】
また、請求項７に記載の発明は、請求項２〜６のいずれかに記載の娯楽システムにおいて、図７に示すように、前記生物を撮像した日時と地点またはそのどちらか一方を特定する撮像関連情報を入力するための撮像関連情報入力手段を更に備え、前記画像認識手段は、前記画像記憶手段に記憶した画像データと前記撮像関連情報入力手段により入力された撮像関連情報とに基づいて前記生物を認識することを特徴とする。
【００２２】
また、請求項８に記載の発明は、請求項７に記載の娯楽システムにおいて、図８に示すように、前記属性情報生成手段は、前記撮像関連情報入力手段により入力された撮像関連情報に基づいて前記属性情報のデータを生成することを特徴とする。
【００２３】
また、請求項９に記載の発明は、請求項４〜８のいずれかに記載の娯楽システムにおいて、図９に示すように、任意のＷｅｂサイトにアクセス可能な通信手段を更に備えるとともに、前記生物オブジェクトを特定のＷｅｂページにリンクさせておき、前記指示用入力手段により前記生物オブジェクトが指示（クリック）されたとき、当該生物オブジェクトにリンクしたＷｅｂページの存在するＷｅｂサイトにアクセスし、当該Ｗｅｂページを前記表示手段に表示させるように構成したことを特徴とする。
【００２４】
また、請求項１０に記載の発明は、請求項５〜９のいずれかに記載の娯楽システムにおいて、任意のＷｅｂサイトにアクセス可能な通信手段を更に備えるとともに、前記生物オブジェクトを特定のＷｅｂページにリンクさせておき、図１０に示すように、前記捕獲操作用入力手段を使用した捕獲操作により生物オブジェクトが捕獲された状態あるいは捕獲に至る過程で発生する特定の状態になったとき、当該生物オブジェクトにリンクしたＷｅｂページの存在するＷｅｂサイトにアクセスし、当該Ｗｅｂページを前記表示手段に表示させるように構成したことを特徴とする。
【００２５】
また、請求項１１に記載の発明は、請求項２〜１０のいずれかに記載の娯楽システムにおいて、複数種類の生物の外見に関する特徴データと当該生物が観察される時期および地域に関するデータとを各生物ごとに対応させて記憶した生物データ記憶手段を更に備え、前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識することを特徴とする。
【００２６】
また、請求項１２に記載の発明は、請求項１〜１１のいずれかに記載の娯楽システムにおいて、図１２に示すように、被撮像体を撮像し当該被撮像体の画像データを生成する撮像手段を更に備えたことを特徴とする。
【００２７】
また、請求項１３に記載の発明は、第１の端末装置とシステム管理装置と第２の端末装置とを通信回線網を介して相互に接続してなる娯楽システムにおいて、前記第１の端末装置は、撮像手段で生物を撮像することにより得られた画像データを入力する画像入力手段と、当該画像入力手段により入力された画像データを送信する第１の送信手段とを備え、前記システム管理装置は、前記第１の端末装置から送られてきた画像データを受信する第１の受信手段と、前記第１の受信手段により受信した画像データに基づいて前記生物を表現する生物オブジェクトのデータを生成する生物オブジェクト生成手段と、前記生物オブジェクト生成手段により生成されたデータを送信する第２の送信手段とを備え、前記第２の端末装置は、前記システム管理装置から送られてきたデータを受信する第２の受信手段と、前記撮像手段で撮像された生物を仮想的に生息させるための仮想空間を表示する表示手段と、前記第２の受信手段により受信したデータに基づいて前記生物オブジェクトを含む前記仮想空間を前記表示手段に表示させる画像制御手段とを備えたことを特徴とする。
【００２８】
また、請求項１４に記載の発明は、請求項１３に記載の娯楽システムにおいて、前記生物オブジェクト生成手段は、図２に示すように、前記第１の受信手段により受信した画像データを記憶する画像記憶手段と、前記画像記憶手段に記憶した画像データに基づいて前記生物を認識する画像認識手段と、前記画像認識手段による認識結果に基づいて前記生物を表現する生物オブジェクトのデータを生成するオブジェクトデータ生成手段とを備えていることを特徴とする。
【００２９】
また、請求項１５に記載の発明は、請求項１４に記載の娯楽システムにおいて、前記システム管理装置は、図１４に示すように、前記生物オブジェクトに付随し所定の条件が成立したときに呼び出される属性情報のデータを生成する属性情報生成手段を更に備え、前記第２の送信手段は、当該属性情報生成手段で生成されたデータを送信する機能を更に備え、前記画像制御手段は、前記第２の受信手段により受信したデータに基づいて、前記生物オブジェクトを含む前記仮想空間を前記表示手段に表示させるとともに、当該生物オブジェクトに付随する属性情報を所定の条件が成立したときに前記表示手段に表示させる機能を備えたことを特徴とする。
【００３０】
また、請求項１６に記載の発明は、請求項１５に記載の娯楽システムにおいて、図４に示すように、前記第２の端末装置は、前記仮想空間内に表示されている任意のオブジェクトを指示するための指示用入力手段を更に備え、当該指示用入力手段により前記生物オブジェクトが指示されたとき、当該生物オブジェクトに付随する前記属性情報を前記表示手段に表示させることを特徴とする。
【００３１】
また、請求項１７に記載の発明は、請求項１５または１６に記載の娯楽システムにおいて、図５に示すように、前記第２の端末装置は、前記仮想空間内の生物オブジェクトを捕獲するための捕獲操作用入力手段を更に備え、当該捕獲操作用入力手段を使用した捕獲操作により生物オブジェクトが捕獲された状態あるいは捕獲に至る過程で発生する特定の状態になったとき、当該生物オブジェクトに付随する前記属性情報を前記表示手段に表示させることを特徴とする。
【００３２】
また、請求項１８に記載の発明は、請求項１５〜１７のいずれかに記載の娯楽システムにおいて、図１５に示すように、前記第１の端末装置は、前記属性情報を入力するための属性情報入力手段を更に備え、前記第１の送信手段は、当該属性情報入力手段により入力された前記属性情報を送信する機能を更に備え、前記属性情報生成手段は、前記第１の受信手段により受信した情報と前記画像認識手段による認識結果とに基づいて前記属性情報のデータを生成することを特徴とする。
【００３３】
また、請求項１９に記載の発明は、請求項１４〜１８のいずれかに記載の娯楽システムにおいて、図１６に示すように、前記第１の端末装置は、前記生物を撮像した日時と地点またはそのどちらか一方を特定する撮像関連情報を入力するための撮像関連情報入力手段（撮像時点入力手段、撮像地点入力手段）を更に備え、前記第１の送信手段は、当該撮像関連情報入力手段により入力された撮像関連情報を送信する機能を更に備え、前記画像認識手段は、前記第１の受信手段により受信した画像データと前記撮像関連情報とに基づいて前記生物を認識することを特徴とする。
【００３４】
また、請求項２０に記載の発明は、請求項７または１９に記載の娯楽システムにおいて、図１７に示すように、前記撮像関連情報入力手段は、暦機能を備えた時計手段を備え、当該時計手段の示す日時情報を前記撮像関連情報に含めることを特徴とする。
【００３５】
また、請求項２１に記載の発明は、請求項７、１９、２０のいずれかに記載の娯楽システムにおいて、図１８に示すように、前記撮像関連情報入力手段は、全地球測位システム衛星からの信号に基づいて撮像位置を算出する測位手段を備え、当該測位手段の示す位置情報を前記撮像関連情報に含めることを特徴とする。
【００３６】
また、請求項２２に記載の発明は、請求項１９〜２１のいずれかに記載の娯楽システムにおいて、前記システム管理装置は、図１１に示すように、複数種類の生物の外見に関する特徴データと当該生物が観察される時期および地域に関するデータとを各生物ごとに対応させて記憶した生物データ記憶手段を更に備え、前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識する機能を有することを特徴とする。
【００３７】
また、請求項２３に記載の発明は、請求項１６〜２２のいずれかに記載の娯楽システムにおいて、前記生物オブジェクトは特定のＷｅｂページにリンクしており、前記第２の端末装置は、図９に示すように、任意のＷｅｂサイトにアクセス可能な通信手段を更に備えるとともに、前記指示用入力手段により前記生物オブジェクトが指示されたとき、当該生物オブジェクトにリンクしたＷｅｂページの存在するＷｅｂサイトにアクセスして当該Ｗｅｂページを前記表示手段に表示させるようになっていることを特徴とする。
【００３８】
また、請求項２４に記載の発明は、請求項１７〜２３のいずれかに記載の娯楽システムにおいて、前記生物オブジェクトは特定のＷｅｂページにリンクしており、前記第２の端末装置は、図１０に示すように、前記捕獲操作用入力手段を使用した捕獲操作により生物オブジェクトが捕獲された状態あるいは捕獲に至る過程で発生する特定の状態になったとき、当該生物オブジェクトにリンクしたＷｅｂページの存在するＷｅｂサイトにアクセスして当該Ｗｅｂページを前記表示手段に表示させるようになっていることを特徴とする。
【００３９】
また、請求項２５に記載の発明は、請求項１〜２４のいずれかに記載の娯楽システムにおいて、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像であることを特徴とする。
【００４０】
また、請求項２６に記載の発明は、請求項３〜１２のいずれか、または請求項１５〜２５のいずれかに記載の娯楽システムにおいて、前記属性情報には、前記生物オブジェクトにより表現された生物の名前、種類、サイズ、重さ、当該生物の生態情報、捕獲した場所、捕獲した日時、捕獲した人の情報（名前、ニックネーム、連絡先、など）、捕獲に使用した機材や餌の情報、撮像した場所、撮像に使用した機材の情報、撮像した日時、撮像した人の情報（名前、ニックネーム、連絡先、など）、電子メールアドレス、Ｗｅｂページアドレス（ＵＲＬ：Ｕｎｉｆｏｒｍ　Ｒｅｓｏｕｒｃｅ　Ｌｏｃａｔｏｒ）のうちのいずれかが含まれることを特徴とする。
【００４１】
また、請求項２７に記載の発明は、請求項２６記載の娯楽システムにおいて、前記属性情報に含まれる電子メールアドレスの表示部分は、図１９（ａ）に示すように、電子メールソフトウエア（ｅｌｅｃｔｒｏｎｉｃ　ｍａｉｌ　ｐｒｏｇｒａｍ、電子メール機能を使用するための応用プログラム）を起動させるアイコンになっており、前記第２の端末装置は、前記指示用入力手段により当該電子メールアドレスの表示部分が指示されたとき、図１９（ｂ）に示すように、電子メールソフトウエアを起動して、または既に稼働している電子メールソフトウエアにより送信メッセージ作成画面を前記表示手段に表示するとともに、当該送信メッセージ作成画面の宛先欄（ａｄｄｒｅｓｓ　ｓｐａｃｅ）に前記電子メールアドレスを記入することを特徴とする。
【００４２】
また、請求項２８に記載の発明は、請求項１６〜２７のいずれかに記載の娯楽システムにおいて、図２０（ａ）に示すように、前記属性情報の表示領域内に特定のＷｅｂページにリンク（ｈｙｐｅｒ　ｌｉｎｋ）したアンカ（ａｎｃｈｏｒ）が存在し、前記第２の端末装置は、図２０（ｂ）に示すように、前記指示用入力手段によりアンカが指示（クリック）されたとき、当該アンカにリンクしたＷｅｂページが存在するＷｅｂサイトにアクセスして当該Ｗｅｂページを前記表示手段に表示させることを特徴とする。すなわち、前記第２の端末装置は、前記属性情報の表示領域内のアンカが存在する部分がマウスなどで指示されると、当該アンカとハイパーリンクしたＷｅｂページにジャンプし当該Ｗｅｂページを前記表示手段に表示する。アンカが存在する部分は、ｈｙｐｅｒ　ｌｉｎｋ　、ｈｙｐｅｒｔｅｘｔ　ｌｉｎｋ、ｈｏｔ　ｌｉｎｋなどと呼ばれる。
【００４３】
請求項２８に記載の発明において、前記属性情報に含まれるＷｅｂページアドレスのテキスト表示の部分をハイパーリンクとしてもよい。また、前記属性情報の表示領域内にＷｅｂページアドレスをテキスト表示する代わりに、当該Ｗｅｂページにリンクしたアンカを埋め込んだアイコン、その他の画像（静止画、動画）を表示してもよい。
【００４４】
また、請求項２９に記載の発明は、請求項１〜２８のいずれかに記載の娯楽システムにおいて、前記画像入力手段は、可搬型記録媒体から画像データを読み出す機能を有することを特徴とする。
【００４５】
また、請求項３０に記載の発明は、請求項１〜２９のいずれかに記載の娯楽システムにおいて、前記画像入力手段は、通信回線網を介して送られてきた画像データを受信する機能を有することを特徴とする。
【００４６】
また、請求項３１に記載の発明は、請求項１３〜３０のいずれかに記載の娯楽システムにおいて、前記第１の端末装置は、図２１に示すように、被撮像体を撮像し当該被撮像体の画像データを生成する撮像手段を更に備えていることを特徴とする。
【００４７】
また、請求項３２に記載の発明は、図２２に示すように、第１の端末装置とシステム管理装置と第２の端末装置とを通信回線網を介して相互に接続してなる広告システムにおいて、前記第１の端末装置は、撮像手段で生物を撮像することにより得られた画像データを入力する画像入力手段と、当該画像入力手段により入力された画像データを送信する第１の送信手段とを備え、前記システム管理装置は、前記第１の端末装置から送られてきた画像データを受信する第１の受信手段と、前記第１の受信手段により受信した画像データに基づいて前記生物を表現する生物オブジェクトのデータを生成する生物オブジェクト生成手段と、前記生物オブジェクトに付随し所定の条件が成立したときに呼び出される広告オブジェクトのデータを生成する広告オブジェクト生成手段と、前記生物オブジェクト生成手段により生成されたデータとともに前記広告オブジェクト生成手段により生成されたデータを送信する第２の送信手段とを備え、前記第２の端末装置は、前記システム管理装置から送られてきたデータを受信する第２の受信手段と、前記撮像手段で撮像された生物を仮想的に生息させるための仮想空間を表示する表示手段と、前記第２の受信手段により受信したデータに基づいて、前記生物オブジェクトを含む前記仮想空間を前記表示手段に表示させるとともに、当該生物オブジェクトに付随する広告オブジェクトを所定の条件が成立したときに前記表示手段に表示させる画像制御手段とを備えたことを特徴とする。
【００４８】
また、請求項３３に記載の発明は、図２３に示すように、第１の端末装置とシステム管理装置と第２の端末装置とを通信回線網を介して相互に接続してなる広告システムにおいて、前記第１の端末装置は、撮像手段で生物を撮像することにより得られた画像データを入力する画像入力手段と、当該画像入力手段により入力された画像データを送信する第１の送信手段とを備え、前記システム管理装置は、前記第１の端末装置から送られてきた画像データを受信する第１の受信手段と、前記第１の受信手段により受信した画像データに基づいて前記生物を表現する生物オブジェクトのデータを生成する生物オブジェクト生成手段と、前記生物オブジェクトに付随し所定の条件が成立したときに呼び出される広告オブジェクトのデータを生成する広告オブジェクト生成手段と、前記生物オブジェクトに付随し所定の条件が成立したときに呼び出される属性情報のデータを生成する属性情報生成手段と、前記生物オブジェクト生成手段により生成されたデータとともに前記広告オブジェクト生成手段により生成されたデータおよび前記属性情報生成手段により生成されたデータを送信する第２の送信手段とを備え、
前記第２の端末装置は、前記システム管理装置から送られてきたデータを受信する第２の受信手段と、前記撮像手段で撮像された生物を仮想的に生息させるための仮想空間を表示する表示手段と、前記第２の受信手段により受信したデータに基づいて前記生物オブジェクトを含む前記仮想空間を前記表示手段に表示させるとともに、当該生物オブジェクトに付随する前記広告オブジェクトと前記属性情報とを所定の条件が成立したときに前記表示手段に表示させる画像制御手段とを備えたことを特徴とする。
【００４９】
また、請求項３４に記載の発明は、請求項３２または３３に記載の広告システムにおいて、前記生物オブジェクト生成手段は、図２に示すように、前記第１の受信手段により受信した画像データを記憶する画像記憶手段と、前記画像記憶手段に記憶した画像データに基づいて前記生物を認識する画像認識手段と、前記画像認識手段による認識結果に基づいて前記生物を表現する生物オブジェクトのデータを生成するオブジェクトデータ生成手段とを備えていることを特徴とする。
【００５０】
また、請求項３５に記載の発明は、請求項３２〜３４のいずれかに記載の広告システムにおいて、図２４に示すように、前記第２の端末装置は、前記仮想空間内に表示されている任意のオブジェクトを指示するための指示用入力手段を更に備え、当該指示用入力手段により前記生物オブジェクトが指示されたとき、当該生物オブジェクトに付随する前記広告オブジェクトを前記表示手段に表示させるようになっていることを特徴とする。
【００５１】
また、請求項３６に記載の発明は、請求項３２〜３５のいずれかに記載の広告システムにおいて、図２５に示すように、前記第２の端末装置は、前記仮想空間内の生物オブジェクトを画面上で捕獲するための捕獲操作用入力手段を更に備え、当該捕獲操作用入力手段を使用した捕獲操作により生物オブジェクトが捕獲された状態あるいは捕獲に至る過程で発生する特定の状態になったとき、当該生物オブジェクトに付随する前記広告オブジェクトを前記表示手段に表示させるようになっていることを特徴とする。
【００５２】
また、請求項３７に記載の発明は、請求項３３〜３６のいずれかに記載の広告システムにおいて、図１５に示すように、前記第１の端末装置は、前記属性情報を入力するための属性情報入力手段を更に備え、前記第１の送信手段は、当該属性情報入力手段により入力された前記属性情報を送信する機能を更に備え、前記属性情報生成手段は、前記第１の受信手段により受信した情報と前記画像認識手段による認識結果とに基づいて前記属性情報のデータを生成することを特徴とする。
【００５３】
また、請求項３８に記載の発明は、請求項３４〜３７のいずれかに記載の広告システムにおいて、図１６に示すように、前記第１の端末装置は、前記生物を撮像した日時と地点またはそのどちらか一方を特定する撮像関連情報を入力するための撮像関連情報入力手段（撮像時点入力手段、撮像地点入力手段）を更に備え、前記第１の送信手段は、当該撮像関連情報入力手段により入力された撮像関連情報を送信する機能を更に備え、前記画像認識手段は、前記第１の受信手段により受信した画像データと前記撮像関連情報とに基づいて前記生物を認識することを特徴とする。
【００５４】
また、請求項３９に記載の発明は、請求項３８に記載の広告システムにおいて、図１７に示すように、前記撮像関連情報入力手段は、暦機能を備えた時計手段を備え、当該時計手段の示す日時情報を前記撮像関連情報に含めることを特徴とする。
【００５５】
また、請求項４０に記載の発明は、請求項３８または３９に記載の広告システムにおいて、図１８に示すように、前記撮像関連情報入力手段は、全地球測位システム衛星からの信号に基づいて撮像位置を算出する測位手段を備え、当該測位手段の示す位置情報を前記撮像関連情報に含めることを特徴とする。
【００５６】
また、請求項４１に記載の発明は、請求項３９〜４０のいずれかに記載の広告システムにおいて、図１１に示すように、前記システム管理装置は、複数種類の生物の外見に関する特徴データと当該生物が観察される時期および地域に関するデータとを各生物ごとに対応させて記憶した生物データ記憶手段を更に備え、前記画像認識手段は、前記画像入力手段により入力された画像データから特徴要素を抽出してその結果を示す抽出データ（輪郭、模様など）を生成するとともに、前記撮像関連情報入力手段により入力された情報に基づいて前記特徴データに優先順位を設定し、優先順位の高い前記特徴データから順に、前記抽出データと比較していくことにより前記生物を認識する機能を有することを特徴とする。
【００５７】
また、請求項４２に記載の発明は、請求項３５〜４１のいずれかに記載の広告システムにおいて、図２６に示すように、前記広告オブジェクトは特定のＷｅｂページにリンクしており、前記第２の端末装置は、任意のＷｅｂサイトにアクセス可能な通信手段を更に備えるとともに、前記指示用入力手段により前記広告オブジェクトが指示されたとき、当該広告オブジェクトにリンクしたＷｅｂページの存在するＷｅｂサイトにアクセスして当該Ｗｅｂページを前記表示手段に表示させることを特徴とする。
【００５８】
また、請求項４３に記載の発明は、請求項３５〜４２のいずれかに記載の広告システムにおいて、図９に示すように、前記生物オブジェクトは特定のＷｅｂページにリンクしており、前記第２の端末装置は、任意のＷｅｂサイトにアクセス可能な通信手段を更に備えるとともに、前記指示用入力手段により前記生物オブジェクトが指示されたとき（前記生物オブジェクトに注目点（ポインタ）を置いて指示用入力手段の操作子（ボタンなど）が操作（押圧など）されたときなど。）、当該生物オブジェクトにリンクしたＷｅｂページの存在するＷｅｂサイトにアクセスして当該Ｗｅｂページを前記表示手段に表示させることを特徴とする。
【００５９】
また、請求項４４に記載の発明は、請求項３６〜４３のいずれかに記載の広告システムにおいて、図１０に示すように、前記生物オブジェクトは特定のＷｅｂページにリンクしており、前記第２の端末装置は、前記捕獲操作用入力手段を使用した捕獲操作により生物オブジェクトが捕獲された状態（生物オブジェクトが魚の場合は、魚が釣針に掛かった状態（ヒット状態）や、魚を釣り上げた状態など）あるいは捕獲に至る過程で発生する特定の状態（生物オブジェクトが魚の場合は、アタリ状態、バラシ状態など）になったとき、当該生物オブジェクトにリンクしたＷｅｂページの存在するＷｅｂサイトにアクセスして当該Ｗｅｂページを前記表示手段に表示させることを特徴とする。
【００６０】
また、請求項４５に記載の発明は、請求項３２〜４４のいずれかに記載の広告システムにおいて、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像であることを特徴とする。
【００６１】
また、請求項４６に記載の発明は、請求項３３〜４５のいずれかに記載の広告システムにおいて、前記属性情報には、前記生物オブジェクトにより表現された生物の名前、種類、サイズ、重さ、当該生物の生態情報、捕獲した場所、捕獲した日時、捕獲した人の情報（名前、ニックネーム、連絡先、など）、捕獲に使用した機材や餌の情報、撮像した場所、撮像に使用した機材の情報、撮像した日時、撮像した人の情報（名前、ニックネーム、連絡先、など）、電子メールアドレス、Ｗｅｂページアドレスのうちのいずれかが含まれることを特徴とする。
【００６２】
また、請求項４７に記載の発明は、請求項４６に記載の広告システムにおいて、図１９（ａ）に示すように、前記属性情報に含まれる電子メールアドレスの表示部分は、電子メールソフトウエアを起動させるアイコンになっており、前記第２の端末装置は、前記指示用入力手段により当該電子メールアドレスの表示部分が指示されたとき、図１９（ｂ）に示すように、電子メールソフトウエア（ｅｌｅｃｔｒｏｎｉｃ　ｍａｉｌ　ｐｒｏｇｒａｍ、電子メール機能を使用するための応用プログラム）を起動して送信メッセージ作成画面を前記表示手段に表示するとともに、当該送信メッセージ作成画面の宛先欄（ａｄｄｒｅｓｓ　ｓｐａｃｅ）に前記電子メールアドレスを記入することを特徴とする。
【００６３】
また、請求項４８に記載の発明は、請求項３５〜４７のいずれかに記載の広告システムにおいて、図２０（ａ）に示すように、前記属性情報の表示領域内に特定のＷｅｂページにリンクしたアンカが存在し、前記第２の端末装置は、前記指示用入力手段によりアンカが指示（クリック）されたとき、図２０（ｂ）に示すように、当該アンカにリンクしたＷｅｂページが存在するＷｅｂサイトにアクセスして当該Ｗｅｂページを前記表示手段に表示させることを特徴とする。すなわち、前記第２の端末装置は、前記属性情報の表示領域内のアンカが存在する部分がマウスなどで指示されると、当該アンカとハイパーリンクしたＷｅｂページにジャンプし当該Ｗｅｂページを前記表示手段に表示する。
【００６４】
請求項４８に記載の発明において、前記属性情報に含まれるＷｅｂページアドレスのテキスト表示の部分をハイパーリンクとしてもよい。また、前記属性情報の表示領域内にＷｅｂページアドレスをテキスト表示する代わりに、当該Ｗｅｂページにリンクしたアンカを埋め込んだアイコン、その他の画像（静止画、動画）を表示してもよい。
【００６５】
また、請求項４９に記載の発明は、請求項３２〜４８のいずれかに記載の広告システムにおいて、前記画像入力手段は、可搬型記録媒体から画像データを読み出す機能を有することを特徴とする。
【００６６】
また、請求項５０に記載の発明は、請求項３２〜４９のいずれかに記載の広告システムにおいて、前記画像入力手段は、通信回線網を介して送られてきた画像データを受信する機能を有することを特徴とする。
【００６７】
また、請求項５１に記載の発明は、請求項３２〜５０のいずれかに記載の広告システムにおいて、図２１に示すように、前記第１の端末装置は、被撮像体を撮像し当該被撮像体の画像データを生成する撮像手段を更に備えていることを特徴とする。
【００６８】
また、請求項５２に記載の発明にかかる娯楽方法は、生物を撮像手段で撮像することにより当該生物を含む被写体の画像データを生成するステップと、前記画像データに基づいて前記生物を表現する生物オブジェクトのデータを生成するステップと、前記生物を仮想的に生息させるための仮想空間を表示するステップと、前記仮想空間内に当該生物オブジェクトを表示するステップとを含むことを特徴とする。
【００６９】
また、請求項５３に記載の発明にかかる娯楽方法は、生物を撮像手段で撮像することにより当該生物を含む被写体の画像データを生成するステップと、前記画像データに基づいて前記生物を認識し、その認識結果に基づいて前記生物を表現する生物オブジェクトのデータを生成するステップと、前記生物を仮想的に生息させるための仮想空間を表示するステップと、前記仮想空間内に当該生物オブジェクトを表示するステップとを含むことを特徴とする。
【００７０】
また、請求項５４に記載の発明は、請求項５２または５３に記載の娯楽方法において、前記生物オブジェクトに付随し所定の条件が成立したときに呼び出される属性情報のデータを生成するステップと、所定の条件が成立したときに、前記属性情報を表示するステップとを含むことを特徴とする。
【００７１】
また、請求項５５に記載の発明にかかる娯楽方法は、生物を撮像手段で撮像することにより当該生物を含む被写体の画像データを生成するステップと、前記画像データを第１の端末装置を用いてシステム管理装置に送信するステップと、前記第１の端末装置から送られてきた前記画像データを前記システム管理装置が受信するステップと、受信した前記画像データに基づいて、前記生物を表現する生物オブジェクトのデータを前記システム管理装置が生成するステップと、前記生物オブジェクトのデータを前記システム管理装置が第２の端末装置に送信するステップと、前記システム管理装置から送られてきたデータを前記第２の端末装置が受信するステップと、前記生物を仮想的に生息させるための仮想空間を前記第２の端末装置が表示するステップと、受信した前記生物オブジェクトのデータに基づいて、前記第２の端末装置が前記仮想空間内に当該生物オブジェクトを表示するステップとを含むことを特徴とする。
【００７２】
また、請求項５６に記載の発明にかかる娯楽方法は、生物を撮像手段で撮像することにより当該生物を含む被写体の画像データを生成するステップと、前記画像データを第１の端末装置を用いてシステム管理装置に送信するステップと、前記第１の端末装置から送られてきた前記画像データを前記システム管理装置が受信するステップと、受信した前記画像データに基づいて、前記生物を表現する生物オブジェクトのデータを前記システム管理装置が生成するステップと、前記生物オブジェクトに付随して所定の条件が成立したときに呼び出される属性情報のデータを前記システム管理装置が生成するステップと、前記生物オブジェクトのデータと前記属性情報のデータとを前記システム管理装置が第２の端末装置に送信するステップと、前記システム管理装置から送られてきたデータを前記第２の端末装置が受信するステップと、前記生物を仮想的に生息させるための仮想空間を前記第２の端末装置が表示するステップと、受信した前記生物オブジェクトのデータに基づいて、前記第２の端末装置が前記仮想空間内に当該生物オブジェクトを表示するステップと、受信した前記属性情報のデータに基づいて、所定の条件が成立したときに、前記第２の端末装置が前記属性情報を表示するステップとを含むことを特徴とする。
【００７３】
また、請求項５７に記載の発明は、請求項５２〜５６のいずれかに記載の娯楽方法において、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像であることを特徴とする。
【００７４】
また、請求項５８に記載の発明は、請求項５４、５６、５７のいずれかに記載の娯楽方法において、前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする。
【００７５】
また、請求項５９に記載の発明は、請求項５４、５６、５７、５８のいずれかに記載の娯楽方法前記所定の条件は、前記仮想空間内に表示されている任意のオブジェクトを指示するための指示用入力手段により前記生物オブジェクトが指示されたことであることを特徴とする。
【００７６】
また、請求項６０に記載の発明は、請求項５４、５６、５７、５８、５９のいずれかに記載の娯楽方法において、前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする。
【００７７】
また、請求項６１に記載の発明は、請求項５９または６０に記載の娯楽方法において、前記生物オブジェクトを特定のＷｅｂページにリンクさせるステップと、前記所定の条件が成立したとき、当該生物オブジェクトにリンクしたＷｅｂページの存在するＷｅｂサイトにアクセスするステップと、当該Ｗｅｂページを表示させるステップとを更に含むことを特徴とする。
【００７８】
また、請求項６２に記載の発明は、請求項５８〜６１のいずれかに記載の娯楽方法において、前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップを含むことを特徴とする。
【００７９】
また、請求項６３に記載の発明にかかる広告方法は、生物を撮像することにより当該生物を含む被写体の画像データを生成するステップと、前記画像データを第１の端末装置を用いてシステム管理装置に送信するステップと、前記第１の端末装置から送られてきた前記画像データを前記システム管理装置が受信するステップと、受信した前記画像データに基づいて、前記生物を表現する生物オブジェクトのデータを前記システム管理装置が生成するステップと、前記生物オブジェクトに付随して所定の条件が成立したときに呼び出される広告オブジェクトのデータを前記システム管理装置が生成するステップと、前記生物オブジェクトのデータと前記広告オブジェクトのデータとを前記システム管理装置が第２の端末装置に送信するステップと、前記システム管理装置から送られてきたデータを前記第２の端末装置が受信するステップと、前記生物を仮想的に生息させるための仮想空間を前記第２の端末装置が表示するステップと、受信した前記生物オブジェクトのデータに基づいて、前記第２の端末装置が前記仮想空間内に当該生物オブジェクトを表示するステップと、受信した前記広告オブジェクトのデータに基づいて、所定の条件が成立したときに、前記第２の端末装置が前記広告オブジェクトを表示するステップとを含むことを特徴とする。
【００８０】
また、請求項６４に記載の発明にかかる広告方法は、生物を撮像することにより当該生物を含む被写体の画像データを生成するステップと、前記画像データを第１の端末装置を用いてシステム管理装置に送信するステップと、前記第１の端末装置から送られてきた前記画像データを前記システム管理装置が受信するステップと、受信した前記画像データに基づいて、前記生物を表現する生物オブジェクトのデータを前記システム管理装置が生成するステップと、前記生物オブジェクトに付随して所定の条件が成立したときに呼び出される広告オブジェクトのデータを前記システム管理装置が生成するステップと、前記生物オブジェクトに付随して所定の条件が成立したときに呼び出される属性情報のデータを前記システム管理装置が生成するステップと、前記生物オブジェクトのデータと前記広告オブジェクトのデータと属性情報のデータとを前記システム管理装置が第２の端末装置に送信するステップと、前記システム管理装置から送られてきたデータを前記第２の端末装置が受信するステップと、前記生物を仮想的に生息させるための仮想空間を前記第２の端末装置が表示するステップと、受信した前記生物オブジェクトのデータに基づいて、前記第２の端末装置が前記仮想空間内に当該生物オブジェクトを表示するステップと、受信した前記属性情報のデータに基づいて、所定の条件が成立したときに、前記第２の端末装置が前記属性情報を表示するステップと、受信した前記広告オブジェクトのデータに基づいて、所定の条件が成立したときに、前記第２の端末装置が前記広告オブジェクトを表示するステップとを含むことを特徴とする。
【００８１】
また、請求項６５に記載の発明は、請求項６３または６４に記載の広告方法において、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像であることを特徴とする。
【００８２】
また、請求項６６に記載の発明は、請求項６４または６５に記載の広告方法において、前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする。
【００８３】
また、請求項６７に記載の発明は、請求項６３〜６６のいずれかに記載の広告方法において、前記所定の条件は、画面上で任意のオブジェクトを指示するための指示用入力手段により前記生物オブジェクトが指示されたことであることを特徴とする。
【００８４】
また、請求項６８に記載の発明は、請求項６３〜６７のいずれかに記載の広告方法において、前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする。
【００８５】
また、請求項６９に記載の発明は、請求項６３〜６８のいずれかに記載の広告方法において、前記生物オブジェクトを特定のＷｅｂページにリンクさせるステップと、前記所定の条件が成立したとき、当該生物オブジェクトにリンクしたＷｅｂページの存在するＷｅｂサイトにアクセスするステップと、当該Ｗｅｂページを表示させるステップとを含むことを特徴とする。
【００８６】
また、請求項７０に記載の発明は、請求項６６〜６９のいずれかに記載の広告方法において、前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップを含むことを特徴とする。
【００８７】
また、請求項７１に記載の発明は、請求項６３〜７０のいずれかに記載の広告方法において、前記広告オブジェクトを特定のＷｅｂページにリンクさせるステップと、前記所定の条件が成立したとき、当該広告オブジェクトにリンクしたＷｅｂページの存在するＷｅｂサイトにアクセスするステップと、当該Ｗｅｂページを表示させるステップとを含むことを特徴とする。
【００８８】
また、請求項７２に記載の発明は、請求項７１に記載の広告方法において、前記所定の条件は、画面上で任意のオブジェクトを指示するための指示用入力手段により前記広告オブジェクトが指示されたことであることを特徴とする。
【００８９】
また、請求項７３に記載の発明にかかる機械読み取り可能な記録媒体は、生物を撮像することにより生成された画像データに基づいて当該生物を表現する生物オブジェクトのデータを生成する機能と、前記生物オブジェクトのデータに基づいて当該生物オブジェクトを含む仮想空間を画像表示手段に表示させる機能とをコンピュータを用いて実現するためのプログラムが記録されていることを特徴とする。
【００９０】
また、請求項７４に記載の発明は、請求項７３に記載の機械読み取り可能な記録媒体において、さらに、前記画像データを通信回線網を介して受信する機能をコンピュータを用いて実現するためのプログラムが記録されていることを特徴とする。
【００９１】
また、請求項７５に記載の発明は、請求項７３または７４に記載の機械読み取り可能な記録媒体において、さらに、前記生物オブジェクトに付随して所定の条件が成立したときに呼び出される属性情報のデータを生成する機能と、前記属性情報のデータに基づいて当該属性情報を画像表示手段に表示させる機能とをコンピュータを用いて実現するためのプログラムが記録されていることを特徴とする。
【００９２】
また、請求項７６に記載の発明にかかる機械読み取り可能な記録媒体は、生物を撮像することにより得られた画像データを通信回線網を介して受信する機能と、前記画像データに基づいて当該生物を表現する生物オブジェクトのデータを生成する機能と、前記生物オブジェクトのデータを通信回線網を介して送信する機能とをコンピュータを用いて実現するためのプログラムが記録されていることを特徴とする。
【００９３】
また、請求項７７に記載の発明にかかる機械読み取り可能な記録媒体は、前記生物オブジェクトに付随して所定の条件が成立したときに呼び出される属性情報のデータを生成する機能と、前記属性情報のデータを通信回線網を介して送信する機能とをコンピュータを用いて実現するためのプログラムが記録されていることを特徴とする。
【００９４】
また、請求項７８に記載の発明は、請求項７６または７７記載の機械読み取り可能な記録媒体において、さらに、前記生物オブジェクトに付随して所定の条件が成立したときに呼び出される広告オブジェクトのデータを生成する機能と、前記広告オブジェクトのデータを通信回線網を介して送信する機能とをコンピュータを用いて実現するためのプログラムが記録されていることを特徴とする。
【００９５】
また、請求項７９に記載の発明にかかる機械読み取り可能な記録媒体は、生物を撮像することにより得られた画像データに基づいて当該生物を表現すべく生成された生物オブジェクトのデータを通信回線網を介して受信する機能と、前記生物オブジェクトのデータに基づいて当該生物オブジェクトを含む前記仮想空間を画像表示手段に表示させる機能とをコンピュータを用いて実現するためのプログラムが記録されていることを特徴とする。
【００９６】
また、請求項８０に記載の発明は、請求項７９に記載の機械読み取り可能な記録媒体において、さらに、前記生物オブジェクトに付随して所定の条件が成立したときに呼び出される属性情報のデータを通信回線網を介して受信する機能と、前記属性情報のデータに基づいて当該属性情報を画像表示手段に表示させる機能とをコンピュータを用いて実現するためのプログラムが記録されていることを特徴とする。
【００９７】
また、請求項８１に記載の発明は、請求項７９または８０に記載の機械読み取り可能な記録媒体において、さらに、前記生物オブジェクトに付随して所定の条件が成立したときに呼び出される広告オブジェクトのデータを通信回線網を介して受信する機能と、前記属性情報のデータに基づいて当該属性情報を画像表示手段に表示させる機能とをコンピュータを用いて実現するためのプログラムが記録されていることを特徴とする。
【００９８】
また、請求項８２に記載の発明は、請求項７３〜８１のいずれかに記載の機械読み取り可能な記録媒体において、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像であることを特徴とする。
【００９９】
また、請求項８３に記載の発明は、請求項７５〜８２のいずれかに記載の機械読み取り可能な記録媒体において、前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれることを特徴とする。
【０１００】
また、請求項８４に記載の発明は、請求項７５、７７、７８、８０、８１、８２、８３のいずれかに記載の機械読み取り可能な記録媒体において、前記所定の条件は、画面上で任意のオブジェクトを指示するための指示用入力手段により前記生物オブジェクトが指示されたことであることを特徴とする。
【０１０１】
また、請求項８５に記載の発明は、請求項７５、７７、７８、８０、８１、８２、８３、８４のいずれかに記載の機械読み取り可能な記録媒体において、前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことであることを特徴とする。
【０１０２】
また、請求項８６に記載の発明は、請求項７９〜８５のいずれかに記載の機械読み取り可能な記録媒体において、さらに、前記生物オブジェクトを特定のＷｅｂページにリンクまたは対応させる機能と、前記所定の条件が成立したとき、当該生物オブジェクトにリンクしたＷｅｂページまたは当該生物オブジェクトに対応したＷｅｂページを表示する機能とをコンピュータを用いて実現するためのプログラムが記録されていることを特徴とする。
【０１０３】
また、請求項８７に記載の発明は、請求項８３〜８６のいずれかに記載の機械読み取り可能な記録媒体において、さらに、前記属性情報に含まれる電子メールアドレスの表示部分を電子メールソフトウエアを起動させるアイコンとする機能と、画面上で任意のオブジェクトを指示するための指示用入力手段により前記電子メールアドレスの表示部分が指示されたとき、電子メールソフトウエアを起動して送信メッセージ作成画面を表示するとともに、当該送信メッセージ作成画面の宛先欄に前記電子メールアドレスを記入する機能とをコンピュータを用いて実現するためのプログラムが記録されていることを特徴とする。
【０１０４】
また、請求項８８に記載の発明は、請求項８０〜８７のいずれかに記載の機械読み取り可能な記録媒体において、さらに、前記属性情報の表示領域内に特定のＷｅｂページにリンクしたアンカを存在させる機能と、画面上で任意のオブジェクトを指示するための指示用入力手段によりアンカが指示されたとき、当該アンカにリンクしたＷｅｂページを表示することを特徴とをコンピュータを用いて実現するためのプログラムが記録されていることを特徴とする。
【０１０５】
また、請求項８９に記載の発明は、請求項８１〜８８のいずれかに記載の機械読み取り可能な記録媒体において、さらに、前記広告オブジェクトをの特定のＷｅｂページにリンクまたは対応させる機能と、画面上で任意のオブジェクトを指示するための指示用入力手段により前記広告オブジェクトが指示されたとき、当該広告オブジェクトにリンクまたは対応したＷｅｂページを表示する機能とをコンピュータを用いて実現するためのプログラムが記録されていることを特徴とする。
【０１０６】
また、請求項９０に記載の発明にかかる機械読み取り可能な記録媒体は、複数種類の生物の外見に関する特徴データと当該生物が観察される時期および地域に関するデータとを各生物ごとに対応させて記憶する機能と、生物を撮像することにより得られた画像データから特徴要素を抽出してその結果を示す抽出データ（輪郭、模様など）を生成する機能と、前記生物を撮像した日時と地点またはそのどちらか一方を特定する撮像関連情報を受け取る機能と、前記撮像関連情報に基づいて前記特徴データに優先順位を設定し、優先順位の高い前記特徴データから順に、前記抽出データと比較していくことにより前記生物を認識する機能とをコンピュータを用いて実現するためのプログラムが記録されていることを特徴とする。
【０１０７】
また、請求項９１に記載の発明にかかる生物認識方法は、複数種類の生物の外見に関する特徴データと当該生物が観察される時期および地域に関するデータとを各生物ごとに対応させてメモリに記憶するステップと、生物を撮像することにより得られた画像データから特徴要素を抽出してその結果を示す抽出データ（輪郭、模様など）を生成するステップと、前記生物を撮像した日時と地点またはそのどちらか一方を特定する撮像関連情報を取得するステップと、前記撮像関連情報に基づいて前記メモリに記憶されている前記特徴データに優先順位を設定するステップと、優先順位の高い前記特徴データから順に、前記抽出データと比較していくことにより前記生物を認識するステップとを含むことを特徴とする。
【０１０８】
また、請求項９２に記載の発明は、図２７に示すように、撮像装置と、システム管理装置と、端末装置とからなる生物食材の流通システムであって、前記撮像装置は、食材となる生物を撮像し当該生物の画像データを生成するための手段であり、前記システム管理装置は、前記撮像装置で撮像することにより得られた生物の画像データを入力する画像入力手段と、前記画像入力手段により入力された画像データに基づいて前記生物を表現する生物オブジェクトのデータを生成する生物オブジェクト生成手段と、前記生物オブジェクトのデータの認証データを生成する認証データ生成手段と、前記生物オブジェクトのデータに前記認証データを付した認証済みオブジェクトデータを可搬型記録媒体に記録する記録手段とを備え、前記端末装置は、前記撮像手段で撮像された生物を仮想的に生息させるための仮想空間を表示する表示手段と、前記可搬型記録媒体から前記認証済みオブジェクトデータを読み出す読出手段と、当該読出手段により読み出した前記認証済みオブジェクトデータに基づいて前記生物オブジェクトを含む前記仮想空間を前記表示手段に表示させる画像制御手段とを備えたことを特徴とする。
【０１０９】
また、請求項９３に記載の発明は、図２８に示すように、撮像装置と、システム管理装置と、端末装置とからなる生物食材の流通システムであって、前記撮像装置は、食材となる生物を撮像し当該生物の画像データを生成するための手段であり、前記システム管理装置は、前記撮像装置で撮像することにより得られた生物の画像データを入力する画像入力手段と、前記画像入力手段により入力された画像データに基づいて前記生物を表現する生物オブジェクトのデータを生成する生物オブジェクト生成手段と、前記生物オブジェクトのデータの認証データを生成する認証データ生成手段と、前記生物オブジェクトのデータに前記認証データを付した認証済みオブジェクトデータを前記端末装置に送信する送信手段とを備え、前記端末装置は、前記撮像手段で撮像された生物を仮想的に生息させるための仮想空間を表示する表示手段と、前記システム管理装置から送られてきた前記認証済みオブジェクトデータを受信する受信手段と、当該受信手段により受信した前記認証済みオブジェクトデータに基づいて前記生物オブジェクトを含む前記仮想空間を前記表示手段に表示させる画像制御手段とを備えたことを特徴とする。
【０１１０】
また、請求項９４に記載の発明は、請求項９２または９３に記載の生物食材の流通システムにおいて、図２に示すように、前記生物オブジェクト生成手段は、前記画像入力手段により入力された画像データを記憶する画像記憶手段と、前記画像記憶手段に記憶した画像データに基づいて前記生物を認識する画像認識手段と、前記画像認識手段による認識結果に基づいて前記生物を表現する生物オブジェクトのデータを生成するオブジェクトデータ生成手段とを備えていることを特徴とする。
【０１１１】
また、請求項９５に記載の発明は、撮像装置と、システム管理装置と、端末装置とからなる生物食材の流通システムであって、前記撮像装置は、食材となる生物を撮像し当該生物の画像データを生成するための手段であり、前記システム管理装置は、前記撮像装置で撮像することにより得られた生物の画像データを入力する画像入力手段と、前記画像入力手段により入力された画像データを記憶する画像記憶手段と、前記画像記憶手段に記憶した画像データの認証データを生成する認証データ生成手段と、前記画像データに前記認証データを付した認証済み画像データを可搬型記録媒体に記録する記録手段とを備え、前記端末装置は、前記可搬型記録媒体から前記認証済み画像データを読み出す読出手段と、当該読出手段により読み出した前記認証済み画像データに基づいて前記生物の画像を前記表示手段に表示させる画像制御手段とを備えたことを特徴とする。
【０１１２】
また、請求項９６に記載の発明は、請求項９２〜９５のいずれかに記載の生物食材の流通システムにおいて、前記生物オブジェクトは、請求項１〜３１のいずれかに記載の娯楽システムまたは請求項３２〜５１のいずれかに記載の広告システムにおける生物オブジェクトとして利用可能であることを特徴とする。
【０１１３】
また、請求項９７に記載の発明は、請求項９２〜９５のいずれかに記載の生物食材の流通システムにおいて、前記認証データは、電子透かしデータであることを特徴とする。
【０１１４】
また、請求項９８に記載の発明は、請求項９２〜９６のいずれかに記載の生物食材の流通システムにおいて、前記認証データは、所定の条件が成立したときに前記表示手段に表示される認定マーク（「認」を○で囲んだ標章）であることを特徴とする（図２９参照）。
【０１１５】
また、請求項９９に記載の発明にかかる生物食材の流通方法は、食材となる生物を撮像手段で撮像することにより当該生物を含む被写体の画像データを生成するステップと、前記画像データに基づいて、前記生物を表現する生物オブジェクトのデータを生成するステップと、前記生物オブジェクトのデータに認証データを付した認証済みデータを可搬型記録媒体に記録するステップと、前記生物またはその加工物を前記可搬型記録媒体と一緒に流通（商品と一緒に箱詰めするなどして流通）させるステップとを含むことを特徴とする。
【０１１６】
また、請求項１００に記載の発明にかかる生物食材の流通方法は、食材となる生物を撮像手段で撮像することにより当該生物を含む被写体の画像データを生成するステップと、前記画像データに基づいて、前記生物を表現する生物オブジェクトのデータを生成するステップと、前記生物オブジェクトのデータに認証データを付したデータを前記生物またはその加工物の発注主（通販で買ってくれたお客さん等）に送信するステップとを含むことを特徴とする。
【０１１７】
また、請求項１０１に記載の発明にかかる生物食材の流通方法は、食材となる生物を撮像手段で撮像することにより当該生物を含む被写体の画像データを生成するステップと、前記画像データ（生の画像データ）に認証データを付した認証済み画像データを可搬型記録媒体に記録するステップと、前記生物またはその加工物を前記可搬型記録媒体と一緒に流通させるステップとを含むことを特徴とする。
【０１１８】
また、請求項１０２に記載の発明は、請求項９９または１００に記載の生物食材の流通方法において、前記生物オブジェクトは、請求項１〜３１のいずれかに記載の娯楽システムまたは請求項３２〜５１のいずれかに記載の広告システムにおける生物オブジェクトとして、もしくは、請求項５２〜６２のいずれかに記載の娯楽方法または請求項６３〜７２のいずれかに記載の広告システムにおける生物オブジェクトとして利用可能であることを特徴とする。
【０１１９】
また、請求項１０３に記載の発明は、請求項９９〜１０２のいずれかに記載の生物食材の流通方法において、前記認証データは、電子透かしデータであることを特徴とする。
【０１２０】
また、請求項１０４に記載の発明は、請求項９９〜１０３のいずれかに記載の生物食材の流通方法において、前記認証データは、所定の条件が成立したときに表示される認定マークであることを特徴とする（図２９参照）。
【０１２１】
また、請求項１０５に記載の発明にかかる店舗は、請求項１〜３１のいずれかに記載の娯楽システムまたは請求項３２〜５１のいずれかに記載の広告システムにおける前記表示手段を備えたことを特徴とする。
【０１２２】
また、請求項１０６に記載の発明は、請求項１０５に記載の店舗において、前記表示手段は、店舗の内壁面部、天井部、外壁面部のうちの少なくとも一箇所に設けられていることを特徴とする（図３０参照）。
【０１２３】
また、請求項１０７に記載の発明は、請求項１０５または１０６に記載の店舗において、前記表示手段は、店舗の床に設置されたテーブルまたはカウンタに設けられていることを特徴とする。
【０１２４】
また、請求項１０８に記載の発明にかかる地球環境情報収集システムは、請求項１３〜３１のいずれかに記載の娯楽システムまたは請求項３２〜５１のいずれかに記載の広告システムを利用して、地球上に生息している生物に関連する情報を収集することを特徴とする。
【０１２５】
また、請求項１０９に記載の発明にかかる地球環境情報収集方法は、請求項１３〜３１のいずれかに記載の娯楽システムまたは請求項３２〜５１に記載の広告システムを利用して、地球上に生息している生物に関連する情報を収集することを特徴とする。
【０１２６】
また、請求項１１０に記載の発明にかかる気象予報システムは、請求項１０８のシステムまたは請求項１０９の方法により収集した情報と公知の気象観測システムにより収集した気象情報とに基づいて気象予報を行うことを特徴とする。
【０１２７】
また、請求項１１１に記載の発明にかかる気象予報方法は、請求項１０８のシステムまたは請求項１０９の方法により収集した情報と公知の気象観測システムにより収集した気象情報とに基づいて気象予報を行うことを特徴とする。
【０１２８】
また、請求項１１２に記載の発明にかかる地震予知システムは、請求項１０８のシステムまたは請求項１０９の方法により収集した情報と公知の地震観測システムにより収集した地震情報とに基づいて地震予知を行うことを特徴とする。
【０１２９】
また、請求項１１３に記載の発明にかかる地震予知方法は、請求項１０８のシステムまたは請求項１０９の方法により収集した情報と公知の地震観測システムにより収集した地震情報とに基づいて地震予知を行うことを特徴とする。
【０１３０】
また、請求項１１４に記載の発明にかかるプログラムは、生物を撮像することにより生成された画像データに基づいて当該生物を表現する生物オブジェクトのデータを生成するステップと、前記生物オブジェクトのデータに基づいて当該生物オブジェクトを含む仮想空間を画像表示手段に表示させるステップとをコンピュータに実行させる。
【０１３１】
また、請求項１１５に記載の発明にかかるプログラムは、請求項１１４に記載のプログラムにおいて、さらに、前記画像データを通信回線網を介して受信するステップをコンピュータに実行させる。
【０１３２】
また、請求項１１６に記載の発明にかかるプログラムは、請求項１１４または１１５に記載のプログラムにおいて、さらに、前記生物オブジェクトに付随して所定の条件が成立したときに呼び出される属性情報のデータを生成するステップと、前記属性情報のデータに基づいて当該属性情報を画像表示手段に表示させるステップとをコンピュータに実行させる。
【０１３３】
また、請求項１１７に記載の発明にかかるプログラムは、生物を撮像することにより得られた画像データを通信回線網を介して受信するステップと、前記画像データに基づいて当該生物を表現する生物オブジェクトのデータを生成するステップと、前記生物オブジェクトのデータを通信回線網を介して送信するステップとをコンピュータに実行させる。
【０１３４】
また、請求項１１８に記載の発明にかかるプログラムは、請求項１１７に記載のプログラムにおいて、前記生物オブジェクトに付随して所定の条件が成立したときに呼び出される属性情報のデータを生成するステップと、前記属性情報のデータを通信回線網を介して送信するステップとをコンピュータに実行させる。
【０１３５】
また、請求項１１９に記載の発明にかかるプログラムは、請求項１１７または１１８に記載のプログラムにおいて、さらに、前記生物オブジェクトに付随して所定の条件が成立したときに呼び出される広告オブジェクトのデータを生成するステップと、前記広告オブジェクトのデータを通信回線網を介して送信するステップとをコンピュータに実行させる。
【０１３６】
また、請求項１２０に記載の発明にかかるプログラムは、生物を撮像することにより得られた画像データに基づいて当該生物を表現すべく生成された生物オブジェクトのデータを通信回線網を介して受信するステップと、前記生物オブジェクトのデータに基づいて当該生物オブジェクトを含む前記仮想空間を画像表示手段に表示させるステップとをコンピュータに実行させる。
【０１３７】
また、請求項１２１に記載の発明にかかるプログラムは、請求項１２０に記載のプログラムにおいて、さらに、前記生物オブジェクトに付随して所定の条件が成立したときに呼び出される属性情報のデータを通信回線網を介して受信するステップと、前記属性情報のデータに基づいて当該属性情報を画像表示手段に表示させるステップとをコンピュータに実行させる。
【０１３８】
また、請求項１２２に記載の発明にかかるプログラムは、請求項１２０または１２１に記載のプログラムにおいて、さらに、前記生物オブジェクトに付随して所定の条件が成立したときに呼び出される広告オブジェクトのデータを通信回線網を介して受信するステップと、前記属性情報のデータに基づいて当該属性情報を画像表示手段に表示させるステップとをコンピュータコンピュータに実行させる。
【０１３９】
また、請求項１２３に記載の発明にかかるプログラムは、請求項１１４〜１２２のいずれかに記載のプログラムにおいて、さらに、前記生物オブジェクトは、魚その他の水中生物、草花、虫、鳥、獣、は虫類、両生類、家畜のうちのいずれかを表現する三次元動画像オブジェクトであり、前記生物オブジェクトが魚その他の水中生物を表現するオブジェクトの場合における前記仮想空間は海、川、湖、池、ため池、用水路、水たまり、水槽、水滴のうちのいずれかの水中を表現する三次元空間映像であり、前記生物オブジェクトが草花、虫、鳥、獣、は虫類、両生類のうちのいずれかを表現するオブジェクトの場合における前記仮想空間は野山、森林、草原、花壇、樹木、地面、地中、水中、空中、空、飼育容器内のうちのいずれかを表現する三次元空間映像であり、前記生物オブジェクトが家畜を表現するオブジェクトの場合における前記仮想空間は野山、森林、草原、庭、道路、畜舎、室内のうちのいずれかを表現する三次元空間映像である。
【０１４０】
また、請求項１２４に記載の発明にかかるプログラムは、請求項１１６、１１８、１１９、１２１、１２２、１２３のいずれかに記載のプログラムにおいて、さらに、前記属性情報には、前記生物オブジェクトにより表現された生物の名称、種類、サイズ、重さ、当該生物の生態情報、捕獲した場所、捕獲した日時、捕獲した人の情報、捕獲に使用した機材や餌の情報、撮像した場所、撮像に使用した機材の情報、撮像した日時、撮像した人の情報、電子メールアドレス、Ｗｅｂページアドレスのうちのいずれかが含まれる。
【０１４１】
また、請求項１２５に記載の発明にかかるプログラムは、請求項１１６、１１８、１１９、１２１、１２２、１２３、１２４のいずれかに記載のプログラムにおいて、さらに、前記所定の条件は、画面上で任意のオブジェクトを指示するための指示用入力手段により前記生物オブジェクトが指示されたことである。
【０１４２】
また、請求項１２６に記載の発明にかかるプログラムは、請求項１１６、１１８、１１９、１２１、１２２、１２３、１２４、１２５のいずれかに記載のプログラムにおいて、前記所定の条件は、前記仮想空間内の生物オブジェクトを画面上で捕獲するための捕獲操作用入力手段を使用した捕獲操作により前記生物オブジェクトが捕獲された状態あるいは捕獲に至る過程で発生する特定の状態になったことである。
【０１４３】
また、請求項１２７に記載の発明にかかるプログラムは、請求項１２０〜１２６のいずれかに記載のプログラムにおいて、さらに、前記生物オブジェクトを特定のＷｅｂページにリンクまたは対応させるステップと、前記所定の条件が成立したとき、当該生物オブジェクトにリンクしたＷｅｂページまたは当該生物オブジェクトに対応したＷｅｂページを表示するステップとをコンピュータに実行させる。
【０１４４】
また、請求項１２８に記載の発明にかかるプログラムは、請求項１２４〜１２７のいずれかに記載のプログラムにおいて、さらに、前記属性情報に含まれる電子メールアドレスの表示部分を電子メールソフトウエアを起動させるアイコンとするステップと、画面上で任意のオブジェクトを指示するための指示用入力手段により前記電子メールアドレスの表示部分が指示されたとき、電子メールソフトウエアを起動して送信メッセージ作成画面を表示するとともに、当該送信メッセージ作成画面の宛先欄に前記電子メールアドレスを記入するステップとをコンピュータに実行させる。
【０１４５】
また、請求項１２９に記載の発明にかかるプログラムは、請求項１２１〜１２８のいずれかに記載のプログラムにおいて、さらに、前記属性情報の表示領域内に特定のＷｅｂページにリンクしたアンカを存在させるステップと、画面上で任意のオブジェクトを指示するための指示用入力手段によりアンカが指示されたとき、当該アンカにリンクしたＷｅｂページを表示するステップとをコンピュータに実行させる。
【０１４６】
また、請求項１３０に記載の発明にかかるプログラムは、請求項１２２〜１２９のいずれかに記載のプログラムにおいて、さらに、前記広告オブジェクトを特定のＷｅｂページにリンクまたは対応させるステップと、画面上で任意のオブジェクトを指示するための指示用入力手段により前記広告オブジェクトが指示されたとき、当該広告オブジェクトにリンクまたは対応したＷｅｂページを表示するステップとをコンピュータに実行させる。
【０１４７】
また、請求項１３１に記載の発明にかかるプログラムは、複数種類の生物の外見に関する特徴データと当該生物が観察される時期および地域に関するデータとを各生物ごとに対応させて記憶するステップと、生物を撮像することにより得られた画像データから特徴要素を抽出してその結果を示す抽出データ（輪郭、模様など）を生成するステップと、前記生物を撮像した日時と地点またはそのどちらか一方を特定する撮像関連情報を受け取るステップと、前記撮像関連情報に基づいて前記特徴データに優先順位を設定し、優先順位の高い前記特徴データから順に、前記抽出データと比較していくことにより前記生物を認識するステップとをコンピュータに実行させる。
【０１４８】
上記請求項１〜１１３における各構成要素をより詳しく説明するならば以下のとおりである。
【０１４９】
前記撮像手段および前記撮像装置には、デジタルカメラ、あるいは撮像機能を有する望遠鏡、撮像機能を有する双眼鏡、撮像機能を有する顕微鏡、撮像機能を有するパソコン、撮像機能を有する携帯情報端末、撮像機能を有する携帯電話機、撮像機能を有する携帯ゲーム機、撮像機能を有する時計、撮像機能を有するウエアラブルコンピュータなどが含まれる。
【０１５０】
前記画像入力手段には、インターネットなどの通信回線網や接続ケーブルなどを介してデータを取り込む通信Ｉ／Ｆ（通信ネットワークＩ／Ｆ、ＵＳＢ＿Ｉ／Ｆ、ＩＥＥＥ１３９４＿Ｉ／Ｆ、など）、無線通信によりデータを取り込む通信Ｉ／Ｆ（Ｂｌｕｅｔｏｏｔｈ、ＩＥＥＥ８０２．１１、ＳＷＡＰ（ＨｏｍｅＲＦの仕様）、ＩｒＤＡ、など）、あるいはコンパクトフラッシュ（登録商標）（ＣｏｎｐａｃｔＦｌａｓｈ）、スマートメディア、マルチメディアカード（ＭＭＣ）、ミニチュアカード（ＭｉｍｉａｔｕｒｅＣａｒｄ）、メモリスティック、ＭＯ、ＭＤ、ＤＶＤ−ＲＯＭ、ＤＶＤ−Ｒ、ＤＶＤ−ＲＷ、ＤＶＤ−ＲＡＭ、ＣＤ−Ｒ、ＬＣＤ−ＲＷ、などの可搬型記録媒体（リムーバブルメディア）からデータを読み込むメディアドライブ装置（ＰＣカードドライブ、ＦＤドライブ、ＭＯドライブ、ＣＤ−ＲＯＭドライブ、など）などが含まれる。
【０１５１】
前記仮想空間は、二次元空間画像または三次元空間画像、静止画像または動画像で表現される。
【０１５２】
前記表示手段には、陰極線管ディスプレイ、液晶ディスプレイ、プラズマディスプレイ、エレクトロルミネセンスディスプレイ、電界放出ディスプレイなどが含まれる。
【０１５３】
前記生物オブジェクト生成手段は、マイクロプロセサ、主記憶などで構成される。
【０１５４】
前記生物オブジェクトは、二次元画像または三次元画像、静止画像または動画像で表現される。
【０１５５】
前記画像制御手段は、マイクロプロセサ、レンダリングＬＳＩ、主記憶装置、補助記憶装置などで構成される。
【０１５６】
前記送信手段には、携帯電話機、通信機能を備えたパソコン、携帯情報端末、ゲーム機、ウエアラブルコンピュータなどが含まれる。
【０１５７】
前記属性情報生成手段は、マイクロプロセサ、主記憶装置、補助記憶装置などで構成される。
【０１５８】
前記第１の端末装置には、携帯電話機、あるいは通信機能を備えた携帯情報端末、通信機能を備えたデジタルカメラ、通信機能を備えた車載コンピュータ、通信機能を備えた携帯ゲーム機、通信機能を備えたウエアラブルコンピュータなどが含まれる。
【０１５９】
前記第１および第２の受信手段には、インターネットなどの通信回線網を介して送られてきたデータを取り込む通信Ｉ／Ｆなどが含まれる。
【０１６０】
前記第１、第２の送信手段は、インターネットなどの通信回線網を介して相手端末へデータを送信する通信Ｉ／Ｆ装置である。
【０１６１】
前記システム管理装置には、ＷＷＷサーバ、ＬＡＮサーバ、インターネットなどの通信回線網に接続されたメインフレーム、ミニコンピュータ、ワークステーション、パソコンなどが含まれる。データベース装置が接続されているものも含まれる。
【０１６２】
前記第２の端末装置には、パソコン、携帯情報端末装置、ビデオゲーム機、デジタルテレビ、車載コンピュータ、ウエアラブルコンピュータ、インターネット冷蔵庫などが含まれる。
【０１６３】
前記指示用入力手段には、マウス、キーボード、ジョイスティック、コントロールボール、タッチパッド、タッチスクリーン、ライトペン、ゲーム用コントローラ、データグローブなどが含まれる。
【０１６４】
前記捕獲操作用入力手段には、マウス、キーボード、ジョイスティック、コントロールボール、タッチパッド、タッチスクリーン、ライトペン、ゲーム用コントローラ、データグローブなどが含まれる。
【０１６５】
前記属性情報入力手段には、マウス、キーボード、マイクなどの他、属性情報を記録した可搬型記録媒体からデータを読み込むメディアドライブ装置などが含まれる。
【０１６６】
前記広告オブジェクト生成手段は、マイクロプロセサ、主記憶などで構成される。
【０１６７】
前記食材となる生物には、魚（天然とらふぐ、城下カレイ、本マグロ、など）、牛（松阪牛、近江牛、見島牛、など）、豚、鶏、野菜、果物などが含まれる。
【０１６８】
前記認証データ生成手段は、マイクロプロセサ、主記憶装置、補助記憶装置などで構成される。
【０１６９】
前記読出手段は、メディアドライブ装置（ＰＣカードドライブ、ＦＤドライブ、ＭＯドライブ、ＣＤ−ＲＯＭドライブ、など）などである。
【０１７０】
前記店舗は、営業用の建物、店のことであり、日本料理（すし、天ぷら料理、ふぐ料理など）や西洋料理（フランス料理、イタリア料理、スペイン料理、ロシア料理など）、中華料理（広東料理、四川料理、上海料理、北京料理など）、トルコ料理などの飲食物を主として提供する飲食店や、アルコール飲料を主として提供する飲食店のほか、肉屋、魚屋、八百屋、果物屋などの食材販売店、惣菜屋、弁当屋などが含まれる。さらに、美術館、博物館、動物園、水族館、図書館、競技場、娯楽施設（ゲームセンタ、パチンコ店など）、宿泊施設（ホテル、旅館、ペンションなど）、学校、病院、老人ホームなどが含まれる。また、車両などによる移動店舗も含まれる。
【０１７１】
前記公知の気象観測システムとは、温度計、湿度計、風速計、気圧計、気象衛星、気球など生物観測と直接結びつかない公知の観測機器を用いた気象観測システムをいう。
【０１７２】
前記公知の地震観測システムとは、地震計や地核変位測定器など生物観測と直接結びつかない関係のない公知の観測機器を用いた地震観測システムをいう。
【０１７３】
【発明の実施の形態】
以下、本願発明の実施の形態について説明する。
【０１７４】
［第１の実施の形態］
図３１は本発明にかかる娯楽システムの実施の形態の一例を示すシステム構成図である。
【０１７５】
このシステム１００は、デジタルカメラ（撮像装置、撮像手段）１０１と記録メディア（可搬型記録媒体、リムーバブルメディア）１０２とＰＣ（端末装置）１０３とを備えて構成される。
【０１７６】
デジタルカメラ１０１は、撮像対象１１２の画像をデジタル画像データ（以下、単に画像データと記す。）に変換して記録メディア１０２に記録する装置であり、図３２に示すように、レンズ１０４、ＣＣＤ１０５、信号処理回路１０６、Ａ／Ｄ変換器１０７、制御回路１０８、画像メモリ１０９、圧縮回路１１０、記録メディアＩ／Ｆ１１１、などを備えて構成される。
【０１７７】
撮像対象１１２の画像は、レンズ１０４を通してＣＣＤ１０５上に集束されることにより電気信号に変換されて、信号処理回路１０６に送られる。信号処理回路１０６は入力信号に応じたアナログ画像信号を出力する。この画像信号は、Ａ／Ｄ変換器１０７で画像データに変換されて制御回路１０８に供給される。制御回路１０８は供給された画像データを画像メモリ１０９に一時的に書き込む。画像メモリ１０９に書き込まれた画像データは制御回路１０８により読み出され、圧縮回路１１０で圧縮された後、記録メディアＩ／Ｆ１１１を介して記録メディア１０２に書き込まれる。記録メディア１０２は、コンパクトフラッシュ（登録商標）、スマートメディア、メモリスティックなどである。
【０１７８】
ＰＣ１０３は、図３１に示すように、ＰＣ本体１２０、表示装置１２１、キーボード１２２およびマウス１２３からなる。
【０１７９】
ＰＣ本体１２０は、図３３に示すように、ＣＰＵ（マイクロプロセサ）１２４、ＲＯＭ１２５、ＲＡＭ１２６、ハードディスクドライブ（ＨＤＤ）１２７、フロッピディスクドライブ（ＦＤＤ）１２８、ＣＤ−ＲＯＭドライブ（あるいはＤＶＤ−ＲＯＭドライブ）１２９、ビデオ信号生成回路１３０、ビデオ出力Ｉ／Ｆ１３１、画像処理ユニット（ＧＰＵ）１３２、オーディオ信号生成回路１３３、オーディオ出力Ｉ／Ｆ１３４、キーボード／マウスＩ／Ｆ１３５、記録メディアドライブ１３６、プリンタＩ／Ｆ１３７、通信Ｉ／Ｆ１３８、などで構成されている。表示装置１２１は、ビデオ出力Ｉ／Ｆ１３１に接続されている。キーボード１２２とマウス１２３は、キーボード／マウスＩ／Ｆ１３５に接続されている。キーボード／マウスＩ／Ｆ１３５にはゲーム用コントローラ１３９も接続できるようになっている。
【０１８０】
ＲＯＭ１２５には、ＰＣ１０３のシステムを起動するための起動プログラム（Ｂｏｏｔ　ｐｒｏｇｒａｍ）が書き込まれている。ＰＣ本体１２０の電源をオンすると、ＣＰＵ１２４はＲＯＭ１２５内の起動プログラムを実行し、起動ディスク装置（この例では、ＨＤＤ１２７）からオペレーティングシステム（ＯＳ）プログラムをＲＡＭ１２６に読み込む。この読み込みが終了すると、ＣＰＵ１２４はＯＳを起動し、以後その制御の下で、ＲＯＭ１２５内のＢＩＯＳを呼び出し、ハードウエアを制御する。ＢＩＯＳの呼び出しは、ソフトウエア割り込みによって行われる。アプリケーションプログラムからのハードウエア制御も通常ＢＩＯＳを経由して行われる。
【０１８１】
ＲＡＭ１２６は、ＣＰＵ１２４が実行するプログラムやそのプログラムの実行のために必要なデータなどを記憶するための領域（主記憶領域）としてだけでなく、プログラム実行の過程で各種データを展開したり加工したりするための領域（作業領域）としても使用される。
【０１８２】
ＨＤＤ１２７には、図３４にすように、ＯＳプログラム１４０と、アプリケーションプログラム１４１とが格納（インストール）されている。ＯＳプログラム１４０には、電話回線などを通じてインターネット・サービス・プロバイダ（ＩＰＳ）に接続し、そこから任意のＷｅｂサイトにアクセスするための通信プログラムも含まれている。
【０１８３】
アプリケーションプログラム１４１には、本願発明の娯楽システムをコンピュータを用いて実現するべくプログラミングされたプログラム（以下、娯楽システムアプリと記す。）１４２の他、電子メールプログラム１４３、ＷＷＷ閲覧系プログラム（以下、ブラウザと記す。）１４４、言語（この例では日本語）入力プログラム１４５、文書処理（ワードプロセシング）プログラム１４６などが含まれる。電子メールプログラム１４３は、コンピュータ間で電子メール（メッセージ）の授受を行うためのプログラムである。このプログラムを用いてファイルを送受信することもできる。ブラウザ１４４は、インターネットで使われる情報検索提示系である。ブラウザ１４４を使用することにより、ハイパテキスト形式で情報を検索できる。
【０１８４】
娯楽システムアプリ１４２には、画面を通じて仮想的な釣り体験を楽しむ釣りゲームのプログラム１４７や、仮想空間内で魚や犬や猫などの動物（ペット）を飼ったり草花を育てたりする育成ゲームのプログラム１４８、デジタルスチルカメラ１０１などで生物を撮像することにより得られた画像データから当該生物を認識する生物認識プログラム１４９、生物認識の際に判断基準となるデータテーブル（図１１参照）１５０、認識結果に基づいて仮想空間中に表示される各種生物オブジェクトのデータ（各種生物を三次元動画像表示するためのデータ）１５１、それぞれのゲームの進行状況や場面などに応じた仮想空間の基礎データ（背景や空間などを表現するためのデータ、無生物も含む各種オブジェクトを表現するためのデータ）１５２、などが含まれている。
【０１８５】
データテーブル１４９には、複数種類の生物の外見上の要素に関する特徴データと当該生物が観察される時期および地域に関するデータ（以下、観察関連データと記す。）とが各生物ごとに対応させて保存されている。
【０１８６】
娯楽システムアプリ１４２のコアプログラム以外のプログラムやデータは必ずしも全てがＨＤＤ１２７に保存されている必要はなく、ゲームプログラムやデータテーブルなどはＣＤ−ＲＯＭ１５５から必要に応じて読み出される場合もある。
【０１８７】
ＣＰＵ１２４は、ＨＤＤ１２７に格納されているＯＳプログラム１４０やアプリケーションプログラム１４１、ＣＤ−ＲＯＭ１１５５から読み出されてＲＡＭ１２６に展開されるプログラムやデータなどに基づいてＰＣ１０３の各部を制御する。
【０１８８】
娯楽システムアプリ１４２を実行する場合、ＣＰＵ１２４は、ＨＤＤ１２７から娯楽システムのコアプログラムを読み出しＲＡＭ１２６に転送し、そのコアプログラムに従って、ＨＤＤ１２７またはＣＤ−ＲＯＭ１５０から必要なプログラムやデータを読み出すことにより、本願発明の娯楽システムに関わる各種機能を実現する。
【０１８９】
以下、第１の実施の形態の娯楽システムの動作について説明する。
【０１９０】
ここでは、海や川などで釣った魚をデジタルカメラ１０１で撮像し、その画像データを記録メディア１０２に記録して家などに持ち帰り、記録メディア１０２からＰＣ１０３に画像データを取り込んで処理する場合について説明する。
【０１９１】
図３５は第１の実施の形態の娯楽システムの全体的な動作の流れの一例を示すフローチャートである。
海や川などで釣った魚（生物）をデジタルカメラ１０１で撮像することにより当該魚（生物）を含む被写体の画像データを生成し（Ｓ１０１）、その画像データを記録メディア１０２に記録する（Ｓ１０２）。記録メディア１０２をＰＣ（端末装置）１０３の記録メディアドライブ１３６に挿入し、記録メディア１０２に記録されている被写体の画像データを読み出しＲＡＭ１２６に記憶する（Ｓ１０３）。前記魚（生物）を撮像した日時と地点を特定する撮像関連情報を取得する（Ｓ１０４：撮像関連情報取得処理）。前記魚（生物）のサイズ、重さ、エサ、釣った人の名前などの情報を取得する（Ｓ１０５：属性情報取得処理）。読み込んだ被写体の画像データに基づいて前記魚（生物）を認識する（Ｓ１０６：生物認識処理）。認識結果に基づいて前記魚（生物）を表現する生物オブジェクト２０１（図４３）のデータを生成する（Ｓ１０７：生物オブジェクトデータ生成処理）。生物オブジェクト２０１に付随し所定の条件が成立したときに呼び出される属性情報のデータを生成し（Ｓ１０８：属性情報生成処理）、ＲＡＭ１２６またはＨＤＤ１２７に保存する（Ｓ１０９）。前記魚（生物）を仮想的に生息させるための仮想空間２０１（図４３）を表示装置１２１に表示し（Ｓ１１０：仮想空間表示処理）、その仮想空間２０１（図４３）内に生物オブジェクト２０１（図４３）を表示する（Ｓ１１１：生物オブジェクト表示処理）。
【０１９２】
図３６は撮像関連情報取得処理（Ｓ１０４）の内容を例示するフローチャートである。この処理では、図４４に示すような撮像関連情報入力画面を表示装置１２１に表示して撮像関連情報の入力を促す（Ｓ２０１）。撮像関連情報（日時と地点）が入力されたら（Ｓ２０２でＹｅｓ）、その情報をＲＡＭ１２６に記憶する（Ｓ２０３）。
【０１９３】
図３７は属性情報取得処理（Ｓ１０５）の内容を例示するフローチャートである。この処理では、この処理では、図４５に示すような属性情報入力画面を表示装置１２１に表示して属性情報の入力を促す（Ｓ３０１）。属性情報（「サイズ」、「重さ」、「エサ」、「釣った人の名前」など）が入力されたら（Ｓ３０２でＹｅｓ）、その情報をＲＡＭ１２６に記憶する（Ｓ３０３）。
【０１９４】
図３８は生物認識処理（Ｓ１０６）の内容を例示するフローチャートである。この処理では、ステップＳ１０３でＲＡＭ１２６に記憶した画像データとステップＳ２０３でＲＡＭ１２６に記憶した撮像関連情報とに基づいて前記魚（生物）の認識を行う。その際、まず、ＲＡＭ１２６に記憶した画像データから特徴要素を抽出してその結果を示す抽出データ（輪郭、模様など）を生成する（Ｓ４０１）。つぎに、ＲＡＭ１２６に記憶した撮像関連情報に基づいて、データテーブル１４９に保存されている特徴データに優先順位を設定する（Ｓ４０２：優先順位設定処理）。そして、優先順位の高い特徴データから順に、前記抽出データと比較（模様や輪郭の類似度の比較）していくことにより前記魚（生物）を認識する（Ｓ４０３）。
【０１９５】
図３９は優先順位設定処理（Ｓ４０２）の内容を例示するフローチャートである。この処理では、データテーブル（図１１参照）１４９に各特徴データ（外見（輪郭、模様、大きさ、等））と対応させて保存されている観察関連データ（「時期」および「地域」）と、ＲＡＭ１２６に記憶した撮像関連情報（「日時」および「地点」）とを順次比較し（Ｓ５０１）、まず、「地点」が「地域」内に含まれる（存在する）観察関連データと対応する特徴データを抽出する（Ｓ５０２）。つぎに、「日時」が「時期」に含まれる観察関連データと対応する特徴データを抽出する（Ｓ５０３）。そして、ステップＳ５０２とステップＳ５０３の両方で共に抽出された特徴データを見つけ出す（Ｓ５０４）。該当する特徴データがなければ（Ｓ５０５でＮｏ）、その旨を表示装置１２１に表示する（Ｓ５０８）。該当する特徴データがあれば（Ｓ５０５でＹｅｓ）、「地点」が「地域」の中心点により近く、かつ「日時」が「時期」の中心点により近い方が優先順位が高くなるように特徴データに優先順位を設定し（Ｓ５０６）、その結果をＲＡＭ１２６に保存する（Ｓ５０７）。
【０１９６】
図４０は生物オブジェクトデータ生成処理（Ｓ１０７）の内容を例示するフローチャートである。この処理では、ＨＤＤ１２７に格納されている娯楽システムアプリ１４２の生物オブジェクトのデータ１５１の中から、生物認識処理（Ｓ１０６）による認識結果に該当する生物の生物オブジェクトのデータを読み出す（Ｓ６０１）。さらに、仮想空間の基礎データ１５２の中から、その生物オブジェクトを表示することが許されている仮想空間の基礎データを読み出す（Ｓ６０２）。そして、これら生物オブジェクトのデータおよび仮想空間の基礎データを画像処理部（ＧＰＵ）１３８に送る（Ｓ６０３）。
【０１９７】
図４１は属性情報生成処理（Ｓ１０８）の内容を例示するフローチャートである。この処理では、撮像関連情報取得処理（Ｓ１０４）で取得した撮像関連情報（日時、地点）、属性情報取得処理（Ｓ１０５）で取得した属性情報（魚（生物）のサイズ、重さ、エサ、釣った人の名前など）、および生物認識処理（Ｓ１０６）で認識した魚（生物）の名前情報を収集し（Ｓ７０１）、これらを記載した所定形式の属性情報表示画像（図１９（ａ）、図２０（ａ）参照）のデータを生成し（Ｓ７０２）、そのデータをＨＤＤ１２７に保存する。
【０１９８】
図４２は仮想空間表示処理（Ｓ１１０）および生物オブジェクト表示処理（Ｓ１１１）の内容を例示するフローチャートである。この処理は、画像処理部（ＧＰＵ）１３８以降の機能ブロックにてなされる。すなわち、ＧＰＵ１３８は、生物オブジェクトデータ生成処理（Ｓ１０７）にて生成された生物オブジェクトのデータおよび仮想空間の基礎データを合成処理し、生物オブジェクトを含む仮想空間の動画像データを生成する（Ｓ８０１）。ＧＰＵ１３８で生成された画像データは、ビデオ信号生成回路１３０にてビデオ信号に変換され、ビデオ出力Ｉ／Ｆ１３１を介して表示装置１２１に出力される（Ｓ８０２）。その結果、生物オブジェクトを含む仮想空間の動画像が表示される。
【０１９９】
上記のようにして生成した生物オブジェクトは、釣りゲーム１４７や育成ゲーム１４８の生物オブジェクトとして使用できる。したがって、ユーザは、自分が釣った魚をデジタルカメラ１０１で撮像し、その画像データをもとに娯楽システムアプリ１４２で生物オブジェクトを生成することにより、その魚を釣りゲーム内の仮想水域に泳がせたり、仮想水槽で育成したりして楽しむことができる。
【０２００】
育成ゲーム１４８の実行中に、表示装置１２１に表示されている仮想空間内の魚をマウス１２３で指示（クリック）すると、図４に示すように、表示中の仮想空間画面内に属性情報が表示される。また、釣りゲーム１４７の実行中に、表示装置１２１に表示されている仮想空間内の魚がエサに食いつくなど所定の条件が成立すると、図５に示すように、表示中の仮想空間画面内に属性情報が表示される。属性情報は、実際に釣られた魚の属性情報であるので、従来のゲームにない現実感を味わうことができる。たとえば、釣りゲーム１４７中で釣った魚がプレイヤ自身が現実の海などで釣った魚の生物オブジェクトであった場合、その時の記憶が鮮やかに蘇るであろう。
【０２０１】
また、現実の海などで釣った魚は永遠に生かしておくことはできないが、生物オブジェクト化すれば釣りゲーム１４７中や育成ゲーム１４８中に仮想的に永遠に生息させることができる。したがって、現実の海などで釣った魚を生物オブジェクトとして収集することができる。
【０２０２】
また、上記のように、撮像関連情報すなわち、魚が撮像された地点および日時に基づいて、特徴データに優先順位を設定し、優先順位の高い特徴データから順に、抽出データと比較していくことにより、認識対象である魚を短時間に正確に認識することができる。たとえば、撮像された時期が冬で、撮像された場所が海であれば、冬に海で釣れる魚の特徴データの優先順位を高く設定し、夏にしか釣れない魚や川などの淡水域にしか生息しない魚の特徴データの優先順位を低く設定して認識処理を行うことにより、比較基準となる特徴データを冬の海の魚のものに絞って正確かつ短時間に認識することができる。
【０２０３】
また、撮像された場所が海であれば、川などの淡水域にしか生息しない魚の特徴データを除外し、塩水域に生息する魚の特徴データのみ使用して認識処理を行い、撮像された場所が川などの淡水域であれば、塩水域にしか生息しない魚の特徴データを除外し、淡水域に生息する魚の特徴データのみ使用して認識処理を行うというように、撮像された場所が塩水域か淡水域であるかに応じて特徴データを限定的に使用するようにしてもよい。川で鯛が釣れたり、海で岩魚が釣れたりする可能性は無いに等しいので、このような不要な特徴データを排除して認識処理を行うことにより、認識精度と認識速度を同時に高めることができる。撮像された季節（時点）についても、場所の場合と同様である。撮像された季節に応じて特徴データを限定的に使用して認識処理を行うことにより、認識精度と認識速度を同時に高めることができる。
【０２０４】
［第２の実施の形態］
【０２０５】
本願発明の娯楽システムは、上記のようなスタンドアローン型のものに限らず、ネットワーク型の娯楽システムにも適用可能である。最も単純な構成のネットワーク型の娯楽システムは、デジタルカメラ１０１で撮像した魚（生物）の画像データを記録メディア１０２の代わりにインターネットを介してＰＣ１０３に受け渡す構成とすることにより実現できる（図１の▲３▼参照）。
【０２０６】
図１３〜図１６は本願発明にかかるネットワーク型の娯楽システムの発展形態を示す概念図である。これらのシステムでは、デジタルカメラ１０１など撮像装置（撮像手段）２００で撮像した魚（生物）の画像データがＰＣ１０３等の第１の端末装置３００を使用することにより、インターネットを介してシステム管理装置４００に送られる。第１の端末装置３００は上記のような画像認識機能を有している必要はない。
【０２０７】
システム管理装置４００は、第１の端末装置３００から送られてきた画像データを受信し、その画像データに基づいて生物を表現する生物オブジェクトのデータを生成する。そして、生成した生物オブジェクトのデータを、別のＰＣなど第２の端末装置５００に送信する。
【０２０８】
第２の端末装置５００は、システム管理装置４００から送られてきた生物オブジェクトのデータを受信し、その生物オブジェクトを含む仮想空間を表示装置（画像表示手段）に表示する。
【０２０９】
［第３の実施の形態］
【０２１０】
第１の実施の形態では、図４４に示すような撮像関連情報入力画面が表示装置に表示され、ユーザ自身が撮像日時と地点を入力するようになっているが、暦機能を備えた時計装置の出力する日時情報および全地球測位システム衛星からの信号に基づいて撮像位置を算出する測位装置からの位置情報が、撮像関連情報として自動的に画像データと共に記録（あるいは関連付けて記録）されるようにしてもよい（図１７、図１８）。全地球測位システムによって位置情報と共に日時情報を得るようにしてもよいことは無論である。
【０２１１】
また、上述した生物認識機能をデジタルカメラ自体に持たせ、認識情報（生物の名前など）が撮像関連情報として自動的に画像データと共に記録（あるいは関連付けて記録）されるようにしてもよい。
【０２１２】
［第３の実施の形態］
【０２１３】
第２および第３の実施の形態に示した娯楽システムの構成は、本願発明の広告システムにも適用できる。
【０２１４】
図２２〜図２６は本願発明にかかる広告システムの概念図である。
これらのシステムでは、デジタルカメラ１０１など撮像装置（撮像手段）２００で撮像した魚（生物）の画像データがＰＣ１０３等の第１の端末装置３００を使用することにより、インターネットを介してシステム管理装置４００に送られる。第１の端末装置３００は上記のような画像認識機能を有している必要はない。
【０２１５】
システム管理装置４００は、第１の端末装置３００から送られてきた画像データを受信し、その画像データに基づいて魚を表現する生物オブジェクトのデータを生成するとともに、その生物オブジェクトに付随し所定の条件が成立したときに呼び出される広告オブジェクトのデータを生成する。そして、生成した生物オブジェクトおよび広告オブジェクトのデータを別のＰＣなど第２の端末装置５００に送信する。
【０２１６】
第２の端末装置５００は、システム管理装置４００から送られてきた生物オブジェクトおよび広告オブジェクトのデータを受信し、その生物オブジェクトを含む仮想空間を表示装置（画像表示手段）に表示する。広告オブジェクトは、仮想空間中の魚がクリックされたりエサに食いつくなど、所定の条件が成立したときに表示される（図２４、図２５参照）。
【０２１７】
このように、釣りゲームや育成ゲームなどの仮想空間中の生物オブジェクトに対するユーザの行為に伴って広告オブジェクトが表示されるようにしたことで、広告を見る側を楽しませながら広告を行うことができる。また、釣り愛好家などターゲットとする消費者の注意を特に惹き付けることができる新規な広告システムを実現できる。
【０２１８】
［第４の実施の形態］
【０２１９】
第１の実施の形態に示した娯楽システムの構成は、本願発明のスタンドアローン型の流通システムにも適用できる。
【０２２０】
図２７は本願発明にかかる生物食材の流通システム（スタンドアローン型）の概念図である。
このシステムでは、生物食材をデジタルカメラなどの撮像装置（撮像手段）２００で撮像し、その画像データをシステム管理装置６００に入力する。
【０２２１】
システム管理装置６００は、入力された画像データに基づいて生物を表現する生物オブジェクトのデータを生成するとともに、その生物オブジェクトのデータの認証データを生成し、生物オブジェクトのデータに認証データを付した認証済みオブジェクトデータをメモリースティックなどの可搬型記録媒体（リムーバブル・メディア）７００に記録する。
【０２２２】
生物食材の流通業者は、撮像対象となった生物またはその加工物を可搬型記録媒体７００と一緒に流通（商品（ふぐ刺しセットなど）と一緒に箱詰めするなどして流通）させる。
【０２２３】
撮像対象となった生物またはその加工物を購入したユーザ（業者を含む）は、可搬型記録媒体７００をＰＣなどの端末装置８００に装着する。端末装置８００は、可搬型記録媒体７００から認証済みオブジェクトデータを読み出し、その生物オブジェクトを含む仮想空間を表示装置（画像表示手段）に表示する。
【０２２４】
認証データは、仮想空間中の魚がクリックされたりエサに食いつくなど、所定の条件が成立したとき、あるいは「ＯＫ」ボタンなど所定のボタンがクリックされたときに表示される（図２９参照）。
【０２２５】
このように、生物食材の認証済みオブジェクトデータを可搬型記録媒体に記録し、これを撮像対象となった生物またはその加工物と一緒に流通させることにより、その商品が本物（認証済み）であるか否かをユーザが容易に確かめることができる。したがって、生物食材の偽物や模倣品の流通を防止できる。たとえば、下関市の正規の市場を通らないふぐ（河豚）を下関産と偽って流通させることなどを防止できる。下関市の正規の市場を通過したふぐの画像データに認証番号（シリアルナンバ）を付けておけば、本物と偽物の判別をさらに確実かつ容易にでき、流通経路などを把握するための情報としても利用できる。
【０２２６】
また、生物食材の認証済みオブジェクトデータは、釣りゲーム１４７や育成ゲーム１４８の生物オブジェクトとして使用できる。したがって、ユーザは、自分が購入した魚を釣りゲーム１４７内の仮想水域に泳がせたり、仮想水槽で育成したりして楽しむこともできる。
【０２２７】
［第４の実施の形態］
【０２２８】
図２８は本願発明にかかる生物食材の流通システム（ネットワーク型）の概念図である。
このシステムでは、生物食材をデジタルカメラなどの撮像装置（撮像手段）２００で撮像し、その画像データをシステム管理装置６００に入力する。
【０２２９】
システム管理装置６００は、入力された画像データに基づいて生物を表現する生物オブジェクトのデータを生成するとともに、その生物オブジェクトのデータの認証データを生成し、生物オブジェクトのデータに認証データを付した認証済みオブジェクトデータをインターネット９００を経由して、ユーザすなわち商品の発注主（通販で買ってくれた顧客等）のＰＣなど端末装置８００に送信する。
【０２３０】
端末装置８００は、受信した認証済みオブジェクトデータに基づいて、その生物オブジェクトを含む仮想空間を表示装置（画像表示手段）に表示する。
【０２３１】
認証データは、スタンドアローン型の場合と同様、仮想空間中の魚がクリックされたりエサに食いつくなど、所定の条件が成立したとき、あるいは「ＯＫ」ボタンなど所定のボタンがクリックされたときに表示される（図２９参照）。
【０２３２】
このように、生物食材の認証済みオブジェクトデータを作成し、これをユーザすなわち商品の発注主に送信することで、撮像対象となった生物またはその加工物と一緒に流通させることにより、その商品が本物（認証済み）であるか否かをユーザが容易に確かめることができる。したがって、生物食材の偽物や模倣品の流通を防止できる。たとえば、下関市の正規の市場を通らないふぐ（河豚）を下関産と偽って流通させることなどを防止できる。
【０２３３】
また、生物食材の認証済みオブジェクトデータは、釣りゲーム１４７や育成ゲーム１４８の生物オブジェクトとして使用できる。したがって、ユーザは、自分が購入した魚を釣りゲーム１４７内の仮想水域に泳がせたり、仮想水槽で育成したりして楽しむこともできる。
【０２３４】
なお、認証データは、上記のように視認できるようにしてもよいが、電子透かしデータなどとし生物オブジェクトに埋め込んでもよい。
【０２３５】
［第５の実施の形態］
図３０は本願発明にかかる店舗の概念図である。
この店舗の壁１０００には、フラットパネルディスプレイ１０１０が取り付けられており、このディスプレイ１０１０に上述した娯楽システム、広告システム、または流通システムにおける仮想空間が表示されるようになっている。ユーザ（店の客）は、リモコン１０２０を操作することにより、自分が釣った魚などの生物オブジェクトを表示させることができる。また、必要に応じて料理メニューを表示させたり、料理などの注文をしたりすることもできる。
【０２３６】
なお、ディスプレイ１０１０を店舗の床に設置されたテーブルまたはカウンタに設けてもよい。壁掛け型ディスプレイを複数分散して配置し、ディスプレイと店舗側のホスト装置を無線（ブルートゥースなど）接続してもよい。通信配線を無くすことで、ディスプレイの設置が容易になり、店舗空間の美観も向上する。
【０２３７】
［第６の実施の形態］
【０２３８】
以上の実施の形態では、生物オブジェクトが魚の生物オブジェクトである場合について説明したが、魚以外の生物の生物オブジェクトであってもよい。すなわち、その他の水中生物、樹木、草花、虫、鳥、獣、は虫類、両生類、家畜であってもよい。
【０２３９】
本願発明の娯楽システムや広告システムによれば、これらを長期にわたって運営することにより、地球上に生息する多種多様な生物に関連する情報を収集し蓄積していくことができる。すなわち、本願発明の娯楽システムや広告システムは、地球環境情報収集システムとしても利用できる。
【０２４０】
本願発明にかかる気象予報システムは、本願発明の娯楽システムや広告システムを利用して収集し蓄積した情報と気象衛星やアメダス等を用いた公知の気象観測システムにより収集した気象情報とに基づいて気象予報（予測）を行うものである。この気象予報システムによれば、気象衛星やアメダス等から得られる情報に生態系情報を加味して観測を行うことができるので、従来のシステムよりも正確に気象予測を行うことができる。
【０２４１】
本願発明にかかる地震予知システムは、本願発明の娯楽システムや広告システムを利用して収集し蓄積した情報と地震計やＧＰＳによる地殻変動測定器などを用いた公知の地震観測システムにより収集した地震情報とに基づいて地震予知を行うものである。この地震観測システムによれば、地震計や地殻変動測定器などから得られる情報に生態系情報を加味して観測を行うことができるので、従来のシステムよりも正確に地震予知を行うことができる。
【０２４２】
【発明の効果】
プレイヤの興味を惹き付けて止まない釣りゲームや育成ゲームなどの新規な娯楽システムおよび娯楽方法を提供できる。
【０２４３】
釣りゲームや育成ゲームなどにより広告を見る側を楽しませながら広告を行うことができ、またはターゲットとする消費者の注意を特に惹き付けることができる新規な広告システムおよび広告方法を提供できる。
【０２４４】
本願発明の娯楽システムおよび広告システムを利用した食材の流通システムおよび流通方法を提供できる。
【０２４５】
本願発明の娯楽システムおよび広告システムを利用した新規な店舗を提供できる。
【０２４６】
本願発明の娯楽システムおよび広告システムを利用した新規な地球環境情報収システムおよび地球環境情報収方法を提供できる。
【０２４７】
本願発明の娯楽システムおよび広告システムを利用した新規な気象予報システム、気象予報方法、地震予知システム、地震予知方法などを提供できる。
【０２４８】
本願発明のシステムをコンピュータを用いて実現するためのプログラムおよびこのプログラムを記録した記録媒体を提供できる。
【図面の簡単な説明】
【図１】本発明の構成を示すブロック図（クレーム対応図）である。
【図２】本発明の構成を示すブロック図（クレーム対応図）である。
【図３】本発明の構成を示すブロック図（クレーム対応図）である。
【図４】本発明の構成を示すブロック図（クレーム対応図）である。
【図５】本発明の構成を示すブロック図（クレーム対応図）である。
【図６】本発明の構成を示すブロック図（クレーム対応図）である。
【図７】本発明の構成を示すブロック図（クレーム対応図）である。
【図８】本発明の構成を示すブロック図（クレーム対応図）である。
【図９】本発明の構成を示すブロック図（クレーム対応図）である。
【図１０】本発明の構成を示すブロック図（クレーム対応図）である。
【図１１】本発明の構成を示すブロック図（クレーム対応図）である。
【図１２】本発明の構成を示すブロック図（クレーム対応図）である。
【図１３】本発明の構成を示すブロック図（クレーム対応図）である。
【図１４】本発明の構成を示すブロック図（クレーム対応図）である。
【図１５】本発明の構成を示すブロック図（クレーム対応図）である。
【図１６】本発明の構成を示すブロック図（クレーム対応図）である。
【図１７】本発明の構成を示すブロック図（クレーム対応図）である。
【図１８】本発明の構成を示すブロック図（クレーム対応図）である。
【図１９】（ａ）、（ｂ）は表示例を示す説明図（クレーム対応図）である。
【図２０】（ａ）、（ｂ）は表示例を示す説明図（クレーム対応図）である。
【図２１】本発明の構成を示すブロック図（クレーム対応図）である。
【図２２】本発明の構成を示すブロック図（クレーム対応図）である。
【図２３】本発明の構成を示すブロック図（クレーム対応図）である。
【図２４】本発明の構成を示すブロック図（クレーム対応図）である。
【図２５】本発明の構成を示すブロック図（クレーム対応図）である。
【図２６】本発明の構成を示すブロック図（クレーム対応図）である。
【図２７】本発明の構成を示すブロック図（クレーム対応図）である。
【図２８】本発明の構成を示すブロック図（クレーム対応図）である。
【図２９】表示例を示す説明図（クレーム対応図）である。
【図３０】本発明の構成を示す説明図（クレーム対応図）である。
【図３１】本発明の実施の形態の一例を示すシステム構成図である。
【図３２】本発明の実施の形態の一例を示すブロック図である。
【図３３】本発明の実施の形態の一例を示すブロック図である。
【図３４】本発明の実施の形態の一例を示すメモリ構成図である。
【図３５】本発明の実施の形態の一例を示すフローチャートである。
【図３６】本発明の実施の形態の一例を示すフローチャートである。
【図３７】本発明の実施の形態の一例を示すフローチャートである。
【図３８】本発明の実施の形態の一例を示すフローチャートである。
【図３９】本発明の実施の形態の一例を示すフローチャートである。
【図４０】本発明の実施の形態の一例を示すフローチャートである。
【図４１】本発明の実施の形態の一例を示すフローチャートである。
【図４２】本発明の実施の形態の一例を示すフローチャートである。
【図４３】本発明の実施の形態における表示例を示す説明図である。
【図４４】本発明の実施の形態における表示例を示す説明図である。
【図４５】本発明の実施の形態における表示例を示す説明図である。
【符号の説明】
１００：娯楽システム
１０１：デジタルカメラ（撮像装置、撮像手段）
１０２：記録メディア（可搬型記録媒体）
１０３：ＰＣ（端末装置）
２００：撮像装置（撮像手段）
３００：第１の端末装置
４００：システム管理装置
５００：第２の端末装置
６００：システム管理装置
７００：可搬型記録媒体
８００：端末装置
１０００：壁
１０１０：フラットパネルディスプレイ（表示手段）
【図１】
2004024840.tif 000003
【図２】
2004024840.tif 000004
【図３】
2004024840.tif 000005
【図４】
2004024840.tif 000006
【図５】
2004024840.tif 000007
【図６】
2004024840.tif 000008
【図７】
2004024840.tif 000009
【図８】
2004024840.tif 000010
【図９】
2004024840.tif 000011
【図１０】
2004024840.tif 000012
【図１１】
2004024840.tif 000013
【図１２】
2004024840.tif 000014
【図１３】
2004024840.tif 000015
【図１４】
2004024840.tif 000016
【図１５】
2004024840.tif 000017
【図１６】
2004024840.tif 000018
【図１７】
2004024840.tif 000019
【図１８】
2004024840.tif 000020
【図１９】
2004024840.tif 000021
【図２０】
2004024840.tif 000022
【図２１】
2004024840.tif 000023
【図２２】
2004024840.tif 000024
【図２３】
2004024840.tif 000025
【図２４】
2004024840.tif 000026
【図２５】
2004024840.tif 000027
【図２６】
2004024840.tif 000028
【図２７】
2004024840.tif 000029
【図２８】
2004024840.tif 000030
【図２９】
2004024840.tif 000031
【図３０】
2004024840.tif 000032
【図３１】
2004024840.tif 000033
【図３２】
2004024840.tif 000034
【図３３】
2004024840.tif 000035
【図３４】
2004024840.tif 000036
【図３５】
2004024840.tif 000037
【図３６】
2004024840.tif 000038
【図３７】
2004024840.tif 000039
【図３８】
2004024840.tif 000040
【図３９】
2004024840.tif 000041
【図４０】
2004024840.tif 000042
【図４１】
2004024840.tif 000043
【図４２】
2004024840.tif 000044
【図４３】
2004024840.tif 000045
【図４４】
2004024840.tif 000046
【図４５】
2004024840.tif 000047